(57)【要約】いくつかの例示的な実施形態では、少なくとも１つのプロセッサと、コンピュータ・プログラム・コードを含む少なくとも１つのメモリと、を含む装置であって、少なくとも１つのメモリおよびコンピュータ・プログラム・コードは、少なくとも１つのプロセッサによって、装置に少なくとも、非３ＧＰＰアクセスのためのアクセス・ノードの選択を可能にする情報を取得することと、アクセス・ノードが所在する国が通信の合法的傍受を必要とするか否かを判定するためにサーバにクエリを実行することと、取得された情報および／またはクエリへの応答に少なくとも基づいて、非３ＧＰＰアクセスのためのアクセス・ノードを選択することと、を行わせるように構成される、装置が提供され得る。関連するシステム、方法、および製品についても説明される。【選択図】図２B
2021517777.tif 000002
【特許請求の範囲】
【請求項１】
アクセスのためのアクセス・ノードの選択を可能にする情報を取得する手段と、
前記アクセス・ノードを決定するためにサーバにクエリを実行する手段と、
前記取得された情報および／または前記クエリへの応答に少なくとも基づいて、前記アクセスのための前記アクセス・ノードを選択する手段と、
を備え、前記アクセスは、非３ＧＰＰアクセスおよび非セルラー・アクセスのうちの少なくとも１つである、装置。
【請求項２】
非３ＧＰＰ相互接続機能および非セルラー相互接続機能のうちの少なくとも１つである相互接続機能を備える第１のアクセス・ノードと、進化型パケット・データ・ゲートウェイを備える第２のアクセス・ノードとの間で選択する手段を更に備える、請求項１に記載の装置。
【請求項３】
前記情報は、ポリシー制御機能から、アクセス管理機能、Ｎ２インターフェース、および／またはＮ１インターフェースを介して取得される、請求項１または２に記載の装置。
【請求項４】
前記情報は、ユニバーサル・サブスクライバ識別モジュールから取得される、請求項１〜３のいずれか一項に記載の装置。
【請求項５】
前記情報は、非３ＧＰＰ相互接続機能および非セルラー相互接続機能のうちの少なくとも１つである少なくとも１つの相互接続機能の識別情報、非３ＧＰＰ相互接続機能および非セルラー相互接続機能のうちの少なくとも１つである相互接続機能を選択するための優先事項、および／または進化型パケット・データ・ゲートウェイを選択するための優先情報を含む、請求項１〜４のいずれか一項に記載の装置。
【請求項６】
前記クエリへの応答を受信する手段を更に備え、
前記応答は、前記アクセスを提供するアクセス・ネットワークが所在する国が通信の合法的傍受を必要とするか否かの表示、および／または前記通信の合法的傍受をサポートする、非３ＧＰＰ相互接続機能および非セルラー相互接続機能のうちの少なくとも１つである、１つまたは複数の相互接続機能ノードのリストを含む、請求項１〜５のいずれか一項に記載の装置。
【請求項７】
前記選択されたアクセス・ノードを介して前記アクセスを提供するアクセス・ネットワークへの前記アクセスを実行するように構成される、請求項１〜６のいずれか一項に記載の装置。
【請求項８】
前記アクセス・ノードは、非セルラー相互接続機能およびゲートウェイのうちの少なくとも１つである、請求項１〜７のいずれか一項に記載の装置。
【請求項９】
アクセスのためのアクセス・ノードの選択を可能にする情報を取得することと、
前記アクセス・ノードを決定するためにサーバにクエリを実行することと、
前記取得された情報および／または前記クエリへの応答に少なくとも基づいて、前記アクセスのための前記アクセス・ノードを選択することと、
を含み、
前記アクセスは、非３ＧＰＰアクセスおよび非セルラー・アクセスのうちの少なくとも１つである、方法。
【請求項１０】
前記選択することは、非３ＧＰＰ相互接続機能および非セルラー相互接続機能のうちの少なくとも１つである相互接続機能を備える第１のアクセス・ノードと、進化型パケット・データ・ゲートウェイを備える第２のアクセス・ノードとの間で行われる、請求項９に記載の方法。
【請求項１１】
前記情報は、ポリシー制御機能から、アクセス管理機能、Ｎ２インターフェース、および／またはＮ１インターフェースを介して取得される、請求項９または１０に記載の方法。
【請求項１２】
前記情報は、ユニバーサル・サブスクライバ識別モジュールから取得される、請求項９〜１１のいずれか一項に記載の方法。
【請求項１３】
前記情報は、非３ＧＰＰ相互接続機能および非セルラー相互接続機能のうちの少なくとも１つである少なくとも１つの相互接続機能の識別情報、非３ＧＰＰ相互接続機能および非セルラー相互接続機能のうちの少なくとも１つである相互接続機能を選択するための優先事項、および／または進化型パケット・データ・ゲートウェイを選択するための優先情報を含む、請求項９〜１２のいずれか一項に記載の方法。
【請求項１４】
前記クエリへの応答を受信すること、
をさらに有し、前記応答は、前記アクセスを提供するアクセス・ネットワークが所在する国が通信の合法的傍受を必要とするか否かの表示、および／または前記通信の合法的傍受をサポートする、非３ＧＰＰ相互接続機能および非セルラー相互接続機能のうちの少なくとも１つである、１つまたは複数の相互接続機能ノードのリストを含む、請求項９〜１３のいずれか一項に記載の方法。
【請求項１５】
前記選択されたアクセス・ノードを介して前記アクセスを提供するアクセス・ネットワークへの前記アクセスを実行すること、
をさらに有する、請求項９〜１４のいずれか一項に記載の方法。
【請求項１６】
処理手段及び記憶手段を備える装置であって、前記記憶手段はプログラム命令を格納し、前記プログラム命令は、前記処理手段に実行されると、前記装置に、請求項９〜１５のいずれか一項に記載の方法を遂行させるように構成される、装
【請求項１７】
装置の処理手段に実行されると、前記装置に、請求項９〜１５のいずれか一項に記載の方法を遂行させるように構成されるプログラム命令を備える、コンピュータプログラム。
【請求項１８】
非３ＧＰＰアクセスのためのアクセス・ノードの選択を可能にする情報を取得する手段と、
前記アクセス・ノードが所在する国が通信の合法的傍受を必要とするか否かを判定するためにサーバにクエリを実行する手段と、
前記取得された情報および／または前記クエリへの応答に少なくとも基づいて、前記非３ＧＰＰアクセスのための前記アクセス・ノードを選択する手段と、
を備える、装置。
【請求項１９】
非３ＧＰＰアクセスのためのアクセス・ノードの選択を可能にする情報を取得することと、
前記アクセス・ノードが所在する国が通信の合法的傍受を必要とするか否かを判定するためにサーバにクエリを実行することと、
前記取得された情報および／または前記クエリへの応答に少なくとも基づいて、前記非３ＧＰＰアクセスのための前記アクセス・ノードを選択することと、
を含む、方法。 
【発明の詳細な説明】
【分野】
【０００１】
本明細書に記載の主題は、５Ｇネットワークにおけるアクセス・ノードの選択に関する。
【背景】
【０００２】
５Ｇネットワークを含むセルラー・システムが、幅広いユース・ケースと、帯域幅、遅延、および信頼性の要件に関する多様なニーズとを有するアプリケーションを含む、ますます多くのデバイスおよびサービスをサポートするにつれて、セルラー・システムは、異なるサービス・データ・フロー（ＳＤＦ：ｓｅｒｖｉｃｅ  ｄａｔａ  ｆｌｏｗ）間の区別をサポートするために、ワイヤレス・アクセス・ネットワークおよびコア・ネットワークにわたってリソースに優先順位を付ける（ならびに／あるいは、たとえば、コントロール・プレーンおよびユーザ・プレーンにわたって優先順位を付ける）必要があり得る。
【摘要】
【０００３】
アクセス・ノード選択のための方法および装置が、コンピュータ・プログラム製品を含めて、提供される。いくつかの例示的な実施形態では、少なくとも１つのプロセッサと、コンピュータ・プログラム・コードを含む少なくとも１つのメモリと、を含む装置であって、少なくとも１つのメモリおよびコンピュータ・プログラム・コードは、少なくとも１つのプロセッサによって、装置に少なくとも、非３ＧＰＰアクセスのためのアクセス・ノードの選択を可能にする情報を取得することと、アクセス・ノードが所在する国が通信の合法的傍受を必要とするか否かを判定するためにサーバにクエリを実行することと、取得された情報および／またはクエリへの応答に少なくとも基づいて、非３ＧＰＰアクセスのためのアクセス・ノードを選択することと、を行わせるように構成される、装置が提供され得る。本発明の他の側面では、非セルラー・アクセスのためのアクセス・ノードの選択を可能にする情報を取得するステップ、または非セルラー・アクセスのためのアクセス・ノードの選択を可能にする情報の取得を実行する能力を有する装置が存在する。本発明の他の側面では、サーバにクエリを実行することは、アクセス・ノードを決定するためのものである。クエリを実行することは、アクセス・ノードが所在する国が、その国の特定のタイプのノード、さらにはその国の特定のノードの使用を必要とするか否かを判定し得る。アクセス・ノードは、非セルラー相互接続（ｉｎｔｅｒｗｏｒｋｉｎｇ）機能およびゲートウェイのうちの少なくとも１つであり得る。
【０００４】
いくつかの変形例では、以下の特徴を含む本明細書に開示される特徴のうちの１つまたは複数は、任意選択で、任意の実行可能な組み合わせで含めることができる。装置はさらに少なくとも、非３ＧＰＰ相互接続機能を備える第１のアクセス・ノードと、進化型パケット・データ・ゲートウェイを備える第２のアクセス・ノードとの間で選択させられ得る。情報は、ポリシー制御機能から、アクセス管理機能、Ｎ２インターフェース、および／またはＮ１インターフェースを介して取得され得る。情報は、ユニバーサル・サブスクライバ識別モジュールから取得され得る。情報は、少なくとも１つの非３ＧＰＰ相互接続機能の識別情報、非３ＧＰＰ相互接続機能を選択するための優先事項、および／または進化型パケット・データ・ゲートウェイを選択するための優先情報を含み得る。装置はさらに少なくとも、クエリへの応答を受信させられ得、応答は、非３ＧＰＰアクセス・ネットワークが所在する国が通信の合法的傍受を必要とするか否かの表示、および／または通信の合法的傍受をサポートする１つまたは複数の非３ＧＰＰ相互接続機能ノードのリストを含む。装置はさらに少なくとも、選択されたアクセス・ノードを介して非３ＧＰＰアクセス・ネットワークへのアクセスを実行させられ得る。
【０００５】
上記の側面および特徴は、所望の構成に応じて、システム、装置、方法、および／または物品に実装され得る。本明細書に記載の主題の１つまたは複数の変形例の詳細については、添付の図面および以下の説明に記載されている。本明細書に記載の主題の特徴および利点は、説明および図面ならびに特許請求の範囲から明らかになろう。
【図面の簡単な説明】
【０００６】
図面では、
【０００７】
【図１】ある例示的な実施形態に従うＮ３ＩＷＦのみの選択をサポートする例示的な構成管理オブジェクトおよびデータ・モデル１００を示す。
【０００８】
【図２Ａ】ある例示的な実施形態に従う３ＧＰＰアクセスおよび非３ＧＰＰアクセスを有するユーザ機器を含むネットワークの一部の一例を示す。
【０００９】
【図２Ｂ】ある例示的な実施形態に従う処理の一例を示す。
【００１０】
【図３Ａ】ある例示的な実施形態に従う非３ＧＰＰアクセス・ネットワークＮ３ＩＷＦノード選択ロジックを示す。
【図３Ｂ】ある例示的な実施形態に従う非３ＧＰＰアクセス・ネットワークＮ３ＩＷＦノード選択ロジックを示す。
【図３Ｃ】ある例示的な実施形態に従う非３ＧＰＰアクセス・ネットワークＮ３ＩＷＦノード選択ロジックを示す。
【００１１】
【図４】ある例示的な実施形態に従う３ＧＰＰアクセスおよび非３ＧＰＰアクセスを有するユーザ機器を含むネットワークの一部の一例を示す。
【００１２】
【図５】ある例示的な実施形態に従う管理オブジェクトを示す。
【００１３】
【図６Ａ】ある例示的な実施形態に従う５Ｇ−ＨＰＬＭＮの一部および４Ｇ−ＨＰＬＭＮの一部を示す。
【図６Ｂ】ある例示的な実施形態に従う５Ｇ−ＨＰＬＭＮの一部および４Ｇ−ＨＰＬＭＮの一部を示す。
【００１４】
【図７Ａ】ある例示的な実施形態に従うＵＥがＮ３ＩＷＦおよびｅＰＤＧとの接続をサポートする場合の例示的な処理を示す。
【図７Ｂ】ある例示的な実施形態に従うＵＥがＮ３ＩＷＦおよびｅＰＤＧとの接続をサポートする場合の例示的な処理を示す。
【図７Ｃ】ある例示的な実施形態に従うＵＥがＮ３ＩＷＦおよびｅＰＤＧとの接続をサポートする場合の例示的な処理を示す。
【００１５】
【図８Ａ】ある例示的な実施形態に従うＮ３ＩＷＦ選択に続くＩＫＥｖ２シグナリング・セキュリティ・アソシエーションおよびユーザ・プレーン・セキュリティ・アソシエーションの確立後のデータ・ネットワークへのＵＥの接続を示す。
【図８Ｂ】ある例示的な実施形態に従うＮ３ＩＷＦ選択に続くＩＫＥｖ２シグナリング・セキュリティ・アソシエーションおよびユーザ・プレーン・セキュリティ・アソシエーションの確立後のデータ・ネットワークへのＵＥの接続を示す。
【００１６】
【図９】ある例示的な実施形態に従うネットワーク・ノードの一例を示す。
【００１７】
【図１０】ある例示的な実施形態に従う装置の一例を示す。
【００１８】
図面において、同一または類似の項目を参照するために同様のラベルが使用される。
【詳細説明】
【００１９】
５Ｇワイヤレス・ネットワークを含むワイヤレス・ネットワークにおいて、非３ＧＰＰアクセス・ネットワーク、たとえば、ワイヤレス・ローカル・エリア・ネットワークは、５Ｇアクセス・ネットワークと見なされるか、またはそれとして扱われ、そのため５Ｇシステム（５ＧＳ：５Ｇ  Ｓｙｓｔｅｍ）の一部として取り扱われ得る。信頼されていない非３ＧＰＰアクセス、たとえば、信頼されていないワイヤレス・ローカル・エリア・ネットワークが存在する場合、非３ＧＰＰ（Ｎ３Ｇ：ｎｏｎ−３ＧＰＰ）アクセス・ノードの非３ＧＰＰ相互接続機能（Ｎ３ＩＷＦ：ｎｏｎ−３ＧＰＰ  ｉｎｔｅｒｗｏｒｋｉｎｇ  ｆｕｎｃｔｉｏｎ）は、コントロール・プレーン用のＮ２インターフェースおよびユーザ・プレーン用のＮ３インターフェースの終端を提供し得る。「非３ＧＰＰアクセス」という用語は、第３世代パートナーシップ・プロジェクトのセルラー無線アクセス・ネットワークを介さないアクセスを指す。「非３ＧＰＰ」アクセスの例は、ＷｉＦｉおよび／または同様のものなどのワイヤレス・ローカル・エリア・ネットワークを介したアクセスを含む。これらの例は、「非セルラー」アクセスと見なすこともできる。
【００２０】
Ｎ３ＩＷＦは、信頼された非３ＧＰＰアクセスまたは信頼されていない非３ＧＰＰアクセスを介してＵＥが５Ｇコアにつながることを可能にする相互接続を提供する。５Ｇ対応のユーザ機器（ＵＥ：ｕｓｅｒ  ｅｑｕｉｐｍｅｎｔ）は、Ｎ３ＩＷＦを介して非３ＧＰＰアクセス・ネットワークに接続することにより５Ｇコア・ネットワークにアクセスし得る。Ｎ３ＩＷＦは、Ｎ１インターフェースを介して、ＵＥとアクセス管理機能（ＡＭＦ：ａｃｃｅｓｓ  ｍａｎａｇｅｍｅｎｔ  ｆｕｎｃｔｉｏｎ）との間のアップリンクおよびダウンリンク・コントロール・プレーン・ネットワーク・アクセス層（ＮＡＳ：ｎｅｔｗｏｒｋ  ａｃｃｅｓｓ  ｓｔｒａｔｕｍ）シグナリングを中継して、ＵＥがＡＭＦへの直接ＮＡＳシグナリング接続を有することを可能にし得る。また、Ｎ３ＩＷＦは、非３ＧＰＰ（Ｎ３Ｇ）アクセスを介したプロトコル・データ・ユニット（ＰＤＵ：ｐｒｏｔｏｃｏｌ  ｄａｔａ  ｕｎｉｔ）セッションのために、ＵＥとユーザ・プレーン機能（ＵＰＦ：ｕｓｅｒ  ｐｌａｎｅ  ｆｕｎｃｔｉｏｎ）との間にユーザ・プレーン接続（複数可）を提供し得る。
【００２１】
しかしながら、ＵＥのモビリティ・ステータスに応じて、ＵＥがアクセス機能、たとえば、Ｎ３ＩＷＦ、進化型パケット・データ・ゲートウェイ（ｅＰＤＧ：ｅｖｏｌｖｅｄ  ｐａｃｋｅｔ  ｄａｔａ  ｇａｔｅｗａｙ）、および／またはこれら２つの組み合わせ、を選択するための様々な異なる手法が存在し得る。Ｎ３ＩＷＦの選択は、コントロール・プレーンのシグナリングとユーザ・プレーンのパケット転送との両方に影響し得る。したがって、非３ＧＰＰアクセスを介した５Ｇシステムの効率化を可能にするために、柔軟なアクセス・ノード選択メカニズムが必要になり得る。
【００２２】
ワイヤレス・ネットワークは、ワイヤレス・ローカル・エリア・ネットワーク（たとえば、ＷｉＦｉおよび同様のもの）などの非３ＧＰＰアクセス用の、４Ｇから５Ｇへの移行のための様々な戦略を有する。ネットワークは、４Ｇから５Ｇへのネットワークのアップグレードまたは移行ステータスに基づいて、ＵＥがＮ３ＩＷＦまたは進化型パケット・コア・ゲートウェイ（ｅＰＤＧ）を選択するように優先し得る。たとえば、ネットワークは、５Ｇ対応ＵＥがＮ３ＩＷＦを選択するように優先するよう構成され得るが、Ｎ３ＩＷＦが利用可能でない場合、ネットワークは、５Ｇ対応ＵＥがｅＰＤＧを選択するように優先するよう構成され得るので、５Ｇ対応ＵＥはまだサービスを受けることができる。
【００２３】
もう１つの考慮事項は、５Ｇネットワークがデータ中心のネットワークであることに起因するものであり、これにより音声サービスのネイティブ・サポートが欠如し得る。たとえば、５ＧＳのボイス・オーバーＩＭＳ（「ＶｏＩＭＳ：ｖｏｉｃｅ  ｏｖｅｒ  ＩＭＳ」）がサポートされていない場合、５Ｇ対応ＵＥは、４Ｇネットワークなどの他のネットワークにつながる必要があり得る。そのとき、このＵＥが進化型パケット・コアにつながるには、このＵＥが５Ｇ非対応ＵＥのように振る舞う必要があり得る。この例では、ＵＥは自身が５Ｇ対応であることをモビリティ管理エンティティ（ＭＭＥ：ｍｏｂｉｌｉｔｙ  ｍａｎａｇｅｍｅｎｔ  ｅｎｔｉｔｙ）に示さない場合があり、非３ＧＰＰアクセスの一部として、ＵＥはハンドオーバー・サポートのためにｅＰＤＧを選択する必要があり得る。
【００２４】
さらに、ネットワーク上での通信の合法的傍受の必要性も、５Ｇシステム用の非３ＧＰＰアクセス・ノードの選択に関して考慮され得る。一部の国は、ＷＩＦＩなどの非３ＧＰＰアクセス・サービスを提供する管轄区域内の３ＧＰＰオペレータを、規制されたサービスを提供するものと見なす。これらの管轄区域において、ネットワーク・オペレータは、ローミング・ユーザへの合法的傍受を提供するようにネットワークを構成する必要があり得る。しかしながら、前述の説明を考慮すれば、通信の合法的傍受の必要性は、本発明の特定の側面に適用され、本発明の他の側面には関連しないことは理解されよう。
【００２５】
ｅＰＤＧおよびＮ３ＩＷＦのサポートを含むネットワークでは、ネットワークはｅＰＤＧ（複数可）を結合されたＮ３ＩＷＦ／ｅＰＤＧノードにアップグレードする必要があり得る。したがって、ＵＥが、ホーム・パブリック・ランド・モバイル・ネットワーク（ＨＰＬＭＮ：ｈｏｍｅ  ｐｕｂｌｉｃ  ｌａｎｄ  ｍｏｂｉｌｅ  ｎｅｔｗｏｒｋ）内にいるときと、訪問先パブリック・ランド・モバイル・ネットワーク（ＶＰＬＭＮ：ｖｉｓｉｔｉｎｇ  ｐｕｂｌｉｃ  ｌａｎｄ  ｍｏｂｉｌｅ  ｎｅｔｗｏｒｋ）を含むネットワーク内でローミングしている間との両方で、適切なアクセス・ノードを選択できるようにするための５Ｇシステム用のアクセス・ノード選択メカニズムを定義する必要があり得る。このメカニズムは、たとえば、ＵＥがＮ３ＩＷＦ、ｅＰＤＧ、またはその両方のいずれへの接続をサポートしているかなどの、ＵＥの接続能力に基づく必要があり得る。さらに、通常の場合および通常でない場合を含む様々な展開シナリオでのアクセス・ノードの選択をサポートする柔軟性を可能にするための構成データ・モデルを定義する必要がある。
【００２６】
いくつかの例示的な実施形態では、非３ＧＰＰアクセス・ネットワーク（Ｎ３ＡＮ：ｎｏｎ−３ＧＰＰ  ａｃｃｅｓｓ  ｎｅｔｗｏｒｋ）のアクセス・ノードの選択が提供され得る。また、Ｎ３ＡＮアクセス・ノードの選択は、傍受を意識した（ｉｎｔｅｒｃｅｐｔ−ａｗａｒｅ）仕方で、Ｎ３ＩＷＦなどのアクセス・ノードの選択が、ＷｉＦｉおよび同様のものを含むワイヤレス・ローカル・エリア・ネットワークなどの非３ＧＰＰアクセスに対する通信の合法的傍受を管轄区域が必要とするか否かを考慮するように実行され得る。
【００２７】
いくつかの例示的な実施形態では、信頼されていない非３ＧＰＰアクセス・ネットワーク上でのＮ３ＩＷＦ選択のための非３ＧＰＰアクセス・ネットワークのノード構成データ・モデルおよび管理オブジェクト（ＭＯ：ｍａｎａｇｅｍｅｎｔ  ｏｂｊｅｃｔ）が定義され得る。
【００２８】
いくつかの例示的な実施形態では、結合されたＮ３ＩＷＦ／ｅＰＤＧノードのための非３ＧＰＰアクセス・ネットワーク・ノードの構成データ・モデルおよび管理オブジェクトが定義され得る。
【００２９】
いくつかの例示的な実施形態では、ＵＥがＮ３ＩＷＦへの接続のみをサポートする場合、および／またはＵＥがＮ３ＩＷＦとｅＰＤＧとの両方への接続をサポートする場合を含めて、傍受を意識したＮ３ＩＷＦの選択を可能にするための取り扱いロジックが定義され得る。
【００３０】
いくつかの例示的な実施形態では、信頼されていない非３ＧＰＰアクセス・ネットワークを介したＮ３ＩＷＦの選択などのアクセス・ノードの選択のための構成管理オブジェクトおよびデータ・モデルが提供され得る。ＵＥのホーム・パブリック・ランド・モバイル・ネットワーク（ＨＰＬＭＮ）内のポリシー制御機能（ＰＣＦ：ｐｏｌｉｃｙ  ｃｏｎｔｒｏｌ  ｆｕｎｃｔｉｏｎ）などのネットワーク・ノードは、Ｎ３ＩＷＦ選択情報を含むこの構成情報をＵＥに提供し得る。また、訪問先パブリック・ランド・モバイル・ネットワーク（ＶＰＬＭＮ）などの訪問先ネットワークは、ＶＰＬＭＮ内をローミングしているＵＥにＮ３ＩＷＦ構成情報を提供するように構成され得る。
【００３１】
いくつかの例示的な実施形態では、非３ＧＰＰアクセス・ネットワーク・ノード構成情報は、ホームＮ３ＩＷＦ識別子および／またはＮ３ＩＷＦノード選択情報を含み得る。構成管理オブジェクト内で利用可能な場合、非３ＧＰＰアクセス・ネットワークのノード構成情報は、非３ＧＰＰアクセス・ネットワークのノードにプロビジョニングされ得る。また、ユニバーサル・サブスクライバ識別モジュール（ＵＳＩＭ：ｕｎｉｖｅｒｓａｌ  ｓｕｂｓｃｒｉｂｅｒ  ｉｄｅｎｔｉｔｙ  ｍｏｄｕｌｅ）内で利用可能な場合、非３ＧＰＰアクセス・ネットワーク・ノード構成情報は、エレメンタリ・ファイル（ＥＦ：ｅｌｅｍｅｎｔａｒｙ  ｆｉｌｅ）にプロビジョニングされ得る。
【００３２】
図１は、ある例示的な実施形態に従うＮ３ＩＷＦのみの選択をサポートする例示的なＮ３ＡＮノード構成管理オブジェクトおよびデータ・モデル１００を示す。オブジェクト１００は、Ｎ３ＩＷＦ、ｅＰＤＧ、またはその両方の選択などの、アクセス・ノード選択の構成を可能にするための情報を提供し得る。たとえば、オブジェクトはＰＣＦによってＵＥに提供され得、それによってＵＥは、非３ＧＰＰアクセス・ノード、Ｎ３ＩＷＦ、ｅＰＤＧ、またはその両方を選択できるようになる。
【００３３】
オブジェクト１００は、Ｎ３ＡＮ＿Ｎｏｄｅ情報１０２を含み得る。Ｎ３ＡＮ＿ｎｏｄｅ情報１０２は、非３ＧＰＰアクセス・ネットワークのアクセス・ノード構成情報のためのプレースホルダを提供するノードとして機能し得る。
【００３４】
オブジェクト１００は、ＰＬＭＮ１０４リーフをさらに含み得る。ＰＬＭＮ１０４は、オブジェクト１００に対応するポリシーを作成したネットワーク・オペレータなどの、オペレータまたはネットワークを識別するパブリック・ランド・モバイル・ネットワーク（ＰＬＭＮ）コードを含み得る。ＰＬＭＮリーフ１０４は、ｏｃｃｕｒｒｅｎｃｅがｏｎｅ、ｆｏｒｍａｔがｃｈａｒａｃｔｅｒ、ｓｕｐｐｏｒｔ  ａｃｃｅｓｓ  ｔｙｐｅ（サポート・アクセス・タイプ）がｇｅｔやｒｅｐｌａｃｅなどでありうる。いくつかの例示的な実施形態では、ＰＬＭＮリーフのフォーマットは、３ＧＰＰ  ＴＳ２３．００３などの規格によって定義されている。ＰＬＭＮリーフの値がＵＥのＨＰＬＭＮ（または同等のＨＰＬＭＮ）に等しい場合、オブジェクト１００のポリシーによって表されるルールは有効であると見なされ得る。しかしながら、ＰＬＭＮリーフの値がＨＰＬＭＮでない（または同等のＨＰＬＭＮでもない）場合、オブジェクト１００のポリシーによって表されるルールは無視され得る。
【００３５】
オブジェクト１００は、Ｈｏｍｅ＿Ｎ３ＩＷＦ＿Ｉｄｅｎｔｉｆｉｅｒ１０６をさらに含み得る。Ｈｏｍｅ＿Ｎ３ＩＷＦ＿Ｉｄｅｎｔｉｆｉｅｒ１０６は、オブジェクト内のノードを表し、ＵＥのＨＰＬＭＮ内のＮ３ＩＷＦ（複数可）のリストのためのプレースホルダの役割を果たし得る。
【００３６】
Ｈｏｍｅ＿Ｎ３ＩＷＦ＿Ｉｄｅｎｔｉｆｉｅｒノード１０６は、ノード＜Ｘ＞１０８に関連付けられ得る。ノード＜Ｘ＞１０８は、オブジェクト１００内のノードを表し、ＵＥのＨＰＬＭＮ内のＮ３ＩＷＦの完全修飾ドメイン名（ＦＱＤＮ：ｆｕｌｌｙ  ｑｕａｌｉｆｉｅｄ  ｄｏｍａｉｎ  ｎａｍｅ）またはＩＰアドレス構成のためのプレースホルダとして機能し得る。
【００３７】
＜Ｘ＞１０８はＦＱＤＮリーフ１１０に関連付けられ得る。ＦＱＤＮリーフは、ＵＥのＨＰＬＭＮ内のＮ３ＩＷＦのＦＱＤＮを示し得る。ＦＱＤＮリーフの値は、３ＧＰＰ  ＴＳ２３．００３などの規格で定義されている非緊急ベアラ・サービスのＮ３ＩＷＦ  ＦＱＤＮフォーマットに基づき得る。いくつかの例示的な実施形態では、ＦＱＤＮリーフ１０８がないことは、ホーム・オペレータによってＵＥのＨＰＬＭＮ内のこのＮ３ＩＷＦに対してＦＱＤＮが（ホーム・オペレータによって）構成されていないことを示し得る。
【００３８】
＜Ｘ＞１０８はＩＰＡｄｄｒ１１２に関連付けられ得る。ＦＱＤＮ  ＩＰＡｄｄｒ１１２は、ＵＥのＨＰＬＭＮ内のＮ３ＩＷＦのＩＰアドレスのリストのためのプレースホルダの役割を果たすノードとして機能し得る。いくつかの例示的な実施形態では、このノード１１２がないことは、ＵＥのＨＰＬＭＮ内のこのＮ３ＩＷＦに対して（ホーム・オペレータによって）ＩＰアドレスが構成されていないことを示し得る。
【００３９】
ＩＰＡｄｄｒ１１２は、＜Ｘ＞ノード１１４に関連付けられ得る。このノード１１４は、ＵＥのＨＰＬＭＮ内のＮ３ＩＷＦのＩＰアドレスのためのプレースホルダの役割を果たし得る。
【００４０】
＜Ｘ＞ノード１１４は、ＡｄｄｒｅｓｓＴｙｐｅ１１６に関連付けられ得る。ａｄｄｒｅｓｓ  ｔｙｐｅリーフ１１６は、ＵＥのＨＰＬＭＮ内のＮ３ＩＷＦのＩＰアドレスのＩＰバージョン、たとえば、タイプを示す。
【００４１】
＜Ｘ＞ノード１１４は、Ａｄｄｒｅｓｓ１１８に関連付けられ得る。ａｄｄｒｅｓｓリーフ１１８は、ＵＥのＨＰＬＭＮ内のＮ３ＩＷＦのＩＰアドレスを示す。このリーフの値は、ＡｄｄｒｅｓｓＴｙｐｅ１１６で示されるタイプのＩＰｖ６アドレスである。
【００４２】
Ｎ３ＡＮ  Ｎｏｄｅ１０２は、ＮｏｄｅＳｅｌｅｃｔｉｏｎＩｎｆｏｒｍａｔｉｏｎ１２０をさらに含み得る。ＮｏｄｅＳｅｌｅｃｔｉｏｎＩｎｆｏｒｍａｔｉｏｎ１２０は、パブリック・ランド・モバイル・ネットワーク（ＰＬＭＮ）のリストのＦＱＤＮフォーマットおよび選択情報のためのプレースホルダを提供するノードの役割を果たす。
【００４３】
ＮｏｄｅＳｅｌｅｃｔｉｏｎＩｎｆｏｒｍａｔｉｏｎ１２０ノードが存在する場合（および値を有するため空ではない場合）、ＵＥはＰＬＭＮのＮ３ＩＷＦ選択ポリシーおよびＦＱＤＮフォーマット設定（複数可）を検索し得る。この検索は次のようになり得る。
−  ＰＬＭＮの構成を発見できた場合、ＵＥはＮ３ＩＷＦ選択のためにＰＬＭＮの対応する構成情報を適用し得る。
−  ＵＥのＰＬＭＮ  ＩＤの構成は発見できなかったが、ＰＬＭＮリーフ１２４が「Ａｎｙ＿ＰＬＭＮ」値に設定された＜Ｘ＞ノード１２２が存在する場合、ＵＥはＮ３ＩＷＦ選択のために「Ａｎｙ  ＰＬＭＮ」値の構成済み情報を適用し得る。
−  ＮｏｄｅＳｅｌｅｃｔｉｏｎＩｎｆｏｒｍａｔｉｏｎノードが存在しない場合、またはＮｏｄｅＳｅｌｅｃｔｉｏｎＩｎｆｏｒｍａｔｉｏｎノードは存在するが空である場合を含むその他の場合には、ＵＥはＵＥのＰＬＭＮの事前構成情報が存在しないと見なし得る。ＵＥは３ＧＰＰ  ＴＳ２４．５０２などの規格に従って、ＨＰＬＭＮのＮ３ＩＷＦを選択し得る。
【００４４】
いくつかの例示的な実施形態では、ＷＬＡＮなどの信頼されていない非３ＧＰＰアクセスと相互接続するためにＨＰＬＭＮとローミング契約を結んでいるＰＬＭＮのみが、ＮｏｄｅＳｅｌｅｃｔｉｏｎＩｎｆｏｒｍａｔｉｏｎ１２０にプロビジョニングされ得る。ＵＥのＨＰＬＭＮもＰＬＭＮのリストに含まれ得る。
【００４５】
ＮｏｄｅＳｅｌｅｃｔｉｏｎＩｎｆｏｒｍａｔｉｏｎ１２０は、＜Ｘ＞ノード１２２に関連付けられ得る。＜Ｘ＞ノード１２２は、ＰＬＭＮに関するＮ３ＩＷＦ  ＦＱＤＮフォーマット、選択情報、およびＰＬＭＮ優先順位設定のためのプレースホルダとして機能し得る。
【００４６】
＜Ｘ＞ノード１２２は、ＰＬＭＮコードを示すＰＬＭＮリーフ１２４に関連付けられ得る。ＰＬＭＮリーフ１２４は、＜ＰＬＭＮ＞または「Ａｎｙ＿ＰＬＭＮ」の値を有し得る。ＰＬＭＮのフォーマットは、３ＧＰＰ  ＴＳ２３．００３などの規格に従って定義され得る。ＵＥのＰＬＭＮ  ＩＤがＰＬＭＮリーフに記憶されているＰＬＭＮ値と同じである場合、ホーム・オペレータからのこのＰＬＭＮの構成が利用可能であるかまたは発見される。
【００４７】
＜Ｘ＞ノード１２２は、ＰＬＭＮ＿Ｐｒｉｏｒｉｔｙ１２６リーフに関連付けられ得る。ＰＬＭＮ＿Ｐｒｉｏｒｉｔｙリーフは、ＰＬＭＮのＮ３ＩＷＦに与えられた優先順位を表し、数値として表される。ＰＬＭＮ＿Ｐｒｉｏｒｉｔｙ１２６は、ＰＬＭＮ優先度の値を有し得る。たとえば、２つ以上のＰＬＭＮエントリが存在する場合、ＵＥは、最も低いＰＬＭＮ  Ｐｒｉｏｒｉｔｙ値を有するエントリを、有効なエントリの中で最も高い優先度を有するエントリとして扱い得る。ＰＬＭＮがＵＥのＨＰＬＭＮである場合、ＰＬＭＮエントリのＰＬＭＮ＿ｐｒｉｏｒｉｔｙは、プロビジョニングされている場合でも無視され得る。
【００４８】
＜Ｘ＞ノード１２２は、ＦＱＤＮ＿ｆｏｒｍａｔ１２８に関連付けられ得る。ＦＱＤＮ＿ｆｏｒｍａｔリーフ１２８は、ＦＱＤＮがＵＥによって構築されている場合に、オペレータ識別子ＦＱＤＮフォーマットまたはロケーションベースのＦＱＤＮフォーマットのいずれが使用されているかを示す。さらに説明すると、値０は、３ＧＰＰ  ＴＳ２３．００３などの規格に従ってオペレータ識別子ＦＱＤＮフォーマットが使用されていることを示し得、値１は、３ＧＰＰ  ＴＳ２３．００３などの規格に従ってトラッキング・エリア識別ＦＱＤＮフォーマットが使用されていることを示し得る。いくつかの例示的な実施形態では、このリーフがプロビジョニングされていない場合、デフォルト値０が適用され得る。ＦＱＤＮ＿ｆｏｒｍａｔ値は、ＦＱＤＮを構築する場合にＵＥによって次のように使用され得る。
−  トラッキング・エリア識別ＦＱＤＮフォーマットが使用される場合、ＵＥは、ＵＥがつなげられているＰＬＭＮのＰＬＭＮ  ＩＤと、ＵＥが所在するエリアのトラック・エリア・コード（ＴＡＣ：ｔｒａｃｋ  ａｒｅａ  ｃｏｄｅ）とを使用してトラッキング・エリア識別ＦＱＤＮを構築し得る。
−  それ以外の場合、ＵＥは、ＵＥがつなげられているＰＬＭＮのＰＬＭＮ  ＩＤを使用してオペレータ識別子ＦＱＤＮを構築し得る。
【００４９】
図２Ａは、ＨＰＬＭＮ２９６Ａへの（たとえば、セルラー基地局を介した）３ＧＰＰアクセス２９０と、ＨＰＬＭＮ２９６Ａへの非３ＧＰＰアクセス２９２（この例では信頼されていないもの）とを有するユーザ機器（ＵＥ）２５０を含むネットワーク２００の一部の一例を示す。図２ＡはＨＰＬＭＮ２９６Ａを示しているが、ＶＰＬＭＮも同様に、図示されたデバイス２５４〜２６６のうちの１つまたは複数を含むように実装され得る。
【００５０】
図２Ａはまた、アクセス・モビリティ管理機能（ＡＭＦ：ａｃｃｅｓｓ  ａｎｄ  ｍｏｂｉｌｉｔｙ  ｍａｎａｇｅｍｅｎｔ  ｆｕｎｃｔｉｏｎ）２５４、セッション管理機能（ＳＭＦ：ｓｅｓｓｉｏｎ  ｍａｎａｇｅｍｅｎｔ  ｆｕｎｃｔｉｏｎ）２５６、ポリシー制御機能（ＰＣＦ）２６０、ユーザ・プレーン機能（ＵＰＦ）２５８、Ｎ３ＩＷＦ２６６、およびデータ・ネットワーク２６８を含むＨＰＬＭＮ２９６を示している。図１の例では、デバイス２５４〜２６６は、ホーム・パブリック・ランド・モバイル・ネットワーク（ＨＰＬＭＮ）２９６Ａに関連付けられ得る。図２Ａはまた、Ｎ１、Ｎ２、Ｎ３、Ｎ４、Ｎ６、Ｎ６、Ｎ７、Ｎ１１、および／または同様のものなどのサービス・インターフェースを示している。アーキテクチャ、ノード（Ｎ３ＩＷＦ、ＡＭＦ、ＰＣＦ、ＳＭＦ、ＳＭＦならびに図２Ａに示されている他のデバイスを含む）、およびサービス・インターフェースは、３ＧＰＰ  ＴＳ２３．５０１などの規格に従って定義され得るが、他の規格ならびに独自のインターフェースが使用され得る。
【００５１】
図２Ａは、ＵＥ２５０のホーム・ネットワーク内のノード、たとえば、ＰＣＦ２６０などを示しており、これは、Ｎ７インターフェース、ＳＭＦ２５６、Ｎ１１インターフェース、ＡＭＦ２５４、および／または同様のものを介して、Ｎ３ＩＷＦノード構成情報２９９（Ｎ３ＡＮ＿Ｎｏｄｅ  ＭＯとラベル付けされたもの、たとえば、オブジェクト１００）をＵＥに提供する。代替的には、Ｎ３ＩＷＦノード構成情報は、ユーザ・サブスクライバ識別モジュール（ＵＳＩＭ：ｕｓｅｒ  ｓｕｂｓｃｒｉｂｅｒ  ｉｄｅｎｔｉｔｙ  ｍｏｄｕｌｅ）プロビジョニングを介してＵＥ２５０に提供され得る。
【００５２】
いくつかの例示的な実施形態では、ＵＥ２５０は、訪問国がその訪問国でのＮ３ＩＷＦの選択を義務付けているか否かを判定するためのクエリを実行し得る。訪問国がその訪問国でのＮ３ＩＷＦの選択を義務付けているか否かを判定するために、ＵＥは次のように訪問国ＦＱＤＮを使用してＤＮＳネーム・オーソリティ・ポインタ（ＮＡＰＴＲ：ｎａｍｅ  ａｕｔｈｏｒｉｔｙ  ｐｏｉｎｔｅｒ）＿ｑｕｅｒｙを実行し得る。
ｎ３ｉｗｆ．５ｇｃ．ｍｃｃ＜ＭＣＣ＞．ｖｉｓｉｔｅｄ−ｃｏｕｎｔｒｙ．ｐｕｂ．３ｇｐｐｎｅｔｗｏｒｋ．ｏｒｇ．
【００５３】
ＵＥ２５０のクエリの結果が、「ｎ３ｉｗｆ．５ｇｃ．ｍｎｃ＜ＭＮＣ＞．ｍｃｃ＜ＭＣＣ＞．ｐｕｂ．３ｇｐｐｎｅｔｗｏｒｋ．ｏｒｇ」の形式のサービス・インスタンス名を含む１つまたは複数のレコードのセットである場合（ここで、各レコード内のモバイル国コード（ＭＣＣ：ｍｏｂｉｌｅ  ｃｏｕｎｔｒｙ  ｃｏｄｅ）とモバイル・ネットワーク・コード（ＭＮＣ：ｍｏｂｉｌｅ  ｎｅｔｗｏｒｋ  ｃｏｄｅ）とのペアは、訪問国のＰＬＭＮ  Ｉｄを表す）、ＵＥは訪問国が対応する訪問国でのＮ３ＩＷＦの選択を義務付けていると判定し得る。
【００５４】
しかしながら、クエリが「ｎ３ｉｗｆ．５ｇｃ．ｍｎｃ＜ＭＮＣ＞．ｍｃｃ＜ＭＣＣ＞．ｐｕｂ．３ｇｐｐｎｅｔｗｏｒｋ．ｏｒｇ」の形式のサービス・インスタンス名を含むレコードを返さない場合、ＵＥは訪問国が対応する訪問国でのＮ３ＩＷＦの選択を義務付けていないと判定し得る。
【００５５】
いくつかの例示的な実施形態では、ＵＥ２５０は、ＵＥがＮ３ＩＷＦとの接続をサポートしているが、ｅＰＤＧとの接続をサポートしていない場合、Ｎ３ＩＷＦ２６６などのＮ３ＩＷＦを選択し得る。たとえば、ＵＥは、ＰＣＦ２６０によってＵＥ２５０に提供される非３ＧＰＰアクセス・ノード構成情報２９９（これはオブジェクト１００としてフォーマットされ得る）に基づいて、Ｎ３ＩＷＦ選択を実行し得る。また、ＵＥによるＮ３ＩＷＦの選択は、ＵＥが所在する国およびＵＥがつなげられているＰＬＭＮに関するＵＥの知識に基づき得る。
【００５６】
ＵＥがＮ３ＩＷＦとの接続のみをサポートしており、ｅＰＤＧとの接続をサポートしていない場合、ＵＥは、Ｎ３ＩＷＦを選択するときに、ｅＰＤＧ関連の構成パラメータを、非３ＧＰＰアクセス・ノード構成情報２９９内で利用可能な場合に無視し得る。たとえば、ＵＥは、オブジェクト１００のホームｅＰＤＧ識別子およびｅＰＤＧ優先パラメータを無視し得る。
【００５７】
図２Ｂは、ある例示的な実施形態に従う例示的な処理を示す。図２Ｂの説明は、図２Ａおよび図１も参照する。
【００５８】
２７０において、ＵＥ２５０は、ある例示的な実施形態に従う非３ＧＰＰアクセス中にアクセス・ノードの選択を可能にするための情報を取得し得る。たとえば、ＵＥは、ＷＬＡＮ、ＷｉＦｉネットワーク、および／または同様のものなどの信頼されていない非３ＧＰＰアクセス・ネットワークへのアクセスを試みている場合がある。その目的で、ＵＥは、取得された情報にアクセスして、非３ＧＰＰネットワーク・アクセスのために選択すべきアクセス・ノードを選択し得る。いくつかの例示的な実施形態では、ＵＥはこの情報を、オブジェクト１００、オブジェクト５００（後述）、および／または同様のものなどのオブジェクトとして取得し得る。また、オブジェクトはポリシー制御機能２６０から、Ｎ７インターフェース、ＳＭＦ２５６、ＡＭＦ２５４、Ｎ２インターフェース、および／またはＮ１インターフェースを介して受信され得る。また、取得された情報は、選択可能な１つまたは複数のＮ３ＩＷＦのリスト、Ｎ３ＩＷＦの優先情報、ｅＰＤＧの優先情報、提供される緊急サービス、音声のサポート、ならびに／あるいは、オブジェクト１００、５００、および／または同様のものを含む本明細書に開示される他の情報を識別し得る。ＵＥ２５０はＰＣＦを介して情報を取得し得るが、情報はＵＳＩＭプロビジョニングを介しても提供され得る。
【００５９】
２７２において、ＵＥ２５０は、いくつかの例示的な実施形態によれば、非３ＧＰＰアクセス・ネットワークが所在する国が通信の合法的傍受（ＬＩ：ｌａｗｆｕｌ  ｉｎｔｅｒｃｅｐｔｉｏｎ）を必要とするか否かを判定し、ならびに／あるいは通信の合法的傍受をサポートする１つまたは複数のＮ３ＩＷＦノードのリスト（またはＮ３ＩＷＦ識別子のリスト）を取得するために、サーバにクエリを実行し得る。クエリに応答して、ＵＥは、２７４において、非３ＧＰＰアクセス・ネットワークが所在する国が通信の合法的傍受（ＬＩ）を必要とするか否かを示す応答、ならびに／あるいは通信の合法的傍受をサポートする１つまたは複数のＮ３ＩＷＦノードのリスト（またはＮ３ＩＷＦ識別子のリスト）を受信し得る。
【００６０】
２７６において、ＵＥ２５０は、いくつかの例示的な実施形態によれば、２７０および／または２７４で取得された情報に少なくとも基づいて、非３ＧＰＰアクセスのためのアクセス・ノードを選択し得る。たとえば、ＵＥは、非３ＧＰＰアクセス・ネットワークおよびコア・ネットワークにアクセスするために、Ｎ３ＩＷＦ（５Ｇ準拠のアクセスをサポート）とｅＰＤＧ（４Ｇ準拠のアクセスをサポート）との間で選択し得る。さらに説明すると、特定の場所またはネットワークでｅＰＤＧが優先される場合、ＵＥはｅＰＤＧを選択し得る。代替的または追加的には、特定の場所またはネットワークでＮ３ＩＷＦが優先される場合、ＵＥはＮ３ＩＷＦを選択し得る。代替的または追加的には、管轄区域の通信の合法的傍受の必要性に起因して、ＵＥはＮ３ＩＷＦを選択し得る。代替的または追加的には、ＵＥは、緊急サービス、音声サービス、および／または同様のものなどのサービスの可用性に基づいて、Ｎ３ＩＷＦまたはｅＰＤＧを選択し得る。
【００６１】
２７８において、ＵＥ２５０は、いくつかの例示的な実施形態によれば、Ｎ３ＩＷＦまたはｅＰＤＧなどの選択されたノードを介して非３ＧＰＰアクセス・ネットワークへのアクセスを実行し得る。
【００６２】
図３Ａは、ある例示的な実施形態に従う非３ＧＰＰアクセス・ネットワークＮ３ＩＷＦノード選択ロジックを示す。図３Ａに示された処理は、ＵＥにプロビジョニングされたオブジェクト１００および／または同様のものなどのオブジェクトからの構成情報および選択情報を使用し得る。このようにして、ＵＥ２５０は、非３ＧＰＰアクセス（これは信頼されていない場合がある）のために、Ｎ３ＩＷＦ、ｅＰＤＧ、またはその両方などのアクセス・ノードを選択し得る。
【００６３】
ＵＥ２５０が自国に所在すると判定され（３０２および３０４でＹ）、Ｎ３ＡＮノード構成情報（３０６でＹ）にＮ３ＡＮノード選択情報がプロビジョニングされ（３０８でＹ）、ＨＰＬＭＮのエントリがＮ３ＡＮノード選択情報内で利用可能である（３１０でＹ）場合、ＵＥは３１６において、ＨＰＬＭＮの構成済みＦＱＤＮフォーマットに基づいてＮ３ＩＷＦ  ＦＱＤＮを構築し得る。
【００６４】
しかしながら、Ｎ３ＡＮノード選択情報がＮ３ＡＮノード構成情報にプロビジョニングされていない（３０８でＮ）か、またはＮ３ＡＮノード選択情報はプロビジョニングされており、ＨＰＬＭＮのエントリがＮ３ＡＮノード選択情報内で利用可能でない（３０８でＹおよび３１０でＮ）場合、ＵＥは次のように進行し得る。
ａ）ホームＮ３ＩＷＦ識別子がＮ３ＡＮノード構成情報にプロビジョニングされている場合（３１８でＹ）、ＵＥは３２０において、構成済みＩＰアドレスを使用してＮ３ＩＷＦを選択し得るが、構成済みＩＰアドレスが利用可能でない場合（３２２でＮ）、ＵＥは３２４において、構成済みＦＱＤＮを使用してＮ３ＩＷＦ  ＦＱＤＮを構築し得る。
ｂ）ホームＮ３ＩＷＦ識別子がＮ３ＡＮノード構成情報にプロビジョニングされていない場合（３１８でＮ）、ＵＥは３２６において、ＨＰＬＭＮのＰＬＭＮ  ＩＤを使用して、オペレータ識別子ＦＱＤＮフォーマットに基づいてＮ３ＩＷＦ  ＦＱＤＮを構築し得る。
ｃ）Ｎ３ＡＮノード構成情報がＵＥ上で構成されていないか（３０６でＮ）、またはＮ３ＡＮノード構成情報は構成されているが空の場合、ＵＥは３２６において、ＵＳＩＭに記憶されているＨＰＬＭＮのＰＬＭＮ  ＩＤを使用してオペレータ識別子ＦＱＤＮフォーマットに基づいてＮ３ＩＷＦ  ＦＱＤＮを構築し得る。
【００６５】
いくつかの例示的な実施形態では、ＵＥは３９９Ａにおいて、ＤＮＳサーバ機能を使用して、構築されたＮ３ＩＷＦ  ＦＱＤＮをＮ３ＩＷＦ（複数可）のＩＰアドレス（複数可）に解決し得る。ＵＥは自身のローカルＩＰアドレスと同じＩＰバージョンを有するＮ３ＩＷＦのＩＰアドレスを選択し得る。
【００６６】
しかしながら、ＵＥが自国に所在せず（３０４でＮ）、Ｎ３ＡＮノード選択情報がＮ３ＡＮノード構成情報にプロビジョニングされており（３２８でＹおよび３３０でＹ）、ＵＥは３ＧＰＰアクセスを介してＶＰＬＭＮに登録されており（３３２でＹ）、ＶＰＬＭＮのエントリがＮ３ＡＮノード選択情報内で利用可能である（３３４でＹ）場合、ＵＥは３３４において、ＶＰＬＭＮの構成済みＦＱＤＮフォーマットに基づいてＮ３ＩＷＦ  ＦＱＤＮを構築し得る。いくつかの例示的な実施形態では、ＵＥはＤＮＳサーバ機能を使用して、構築されたＮ３ＩＷＦ  ＦＱＤＮをＮ３ＩＷＦ（複数可）のＩＰアドレス（複数可）に解決し得る。ＵＥは自身のローカルＩＰアドレスと同じＩＰバージョンを有するＮ３ＩＷＦのＩＰアドレスを選択し得る。
【００６７】
しかしながら、ＵＥが自国に所在せず（３０４でＮ）、Ｎ３ＡＮノード選択情報がＮ３ＡＮノード構成情報にプロビジョニングされており（３２８でＹおよび３３０でＹ）、ＵＥが３ＧＰＰアクセスを介してＶＰＬＭＮに登録されており（３３２でＹ）、ＶＰＬＭＮのエントリがＮ３ＡＮノード選択情報内で利用可能でなく（３３４でＮ）、「Ａｎｙ＿ＰＬＭＮ」エントリがＮ３ＡＮノード選択情報内で利用可能である（３３８でＹ）場合、ＵＥは３４０において、「Ａｎｙ＿ＰＬＭＮ」エントリの構成済みＦＱＤＮフォーマットに基づいてＮ３ＩＷＦ  ＦＱＤＮを構築し得る。いくつかの例示的な実施形態では、ＵＥは３９９Ｂにおいて、ＤＮＳサーバ機能を使用して、構築されたＮ３ＩＷＦ  ＦＱＤＮをＮ３ＩＷＦ（複数可）のＩＰアドレス（複数可）に解決し得る。ＵＥは自身のローカルＩＰアドレスと同じＩＰバージョンを有するＮ３ＩＷＦのＩＰアドレスを選択し得る。
【００６８】
ＵＥが自国に所在していないこと（３０４でＮ）に戻ると、以下の少なくとも１つが真である場合、ＵＥは３５０において、訪問国がこの国でのＮ３ＩＷＦの選択を義務付けているか否かを判定するためのＤＮＳクエリを実行し得る。
−  ＵＥは３ＧＰＰアクセスを介してＰＬＭＮに登録されておらず、ＵＥはＷＬＡＮを使用する（３３２でＮ）。
−  Ｎ３ＡＮノード構成情報は利用可能でない（３２８でＮ）。
−  Ｎ３ＡＮノード選択情報は、Ｎ３ＡＮノード構成情報にプロビジョニングされていない（３３０でＮ）。および／または、
−  ＵＥは３ＧＰＰアクセスを介してＶＰＬＭＮに登録されており（３３２でＹ）、ＶＰＬＭＮのエントリはＮ３ＡＮノード選択情報内で利用可能でなく（３３４でＮ）、「Ａｎｙ＿ＰＬＭＮ」エントリはＮ３ＡＮノード選択情報内で利用可能でない（３３８でＮ）。
【００６９】
訪問国でのＮ３ＩＷＦの選択が必須であり（３５１でＹおよび３５２）、ＵＥが３ＧＰＰアクセスを介してＶＰＬＭＮに登録されており、ＶＰＬＭＮのＰＬＭＮ  ＩＤが返されたＤＮＳレコードの１つに含まれている（３５４でＹ）場合、ＵＥは３５６において、ＶＰＬＭＮのＰＬＭＮ  ＩＤを使用して、オペレータ識別子ＦＱＤＮフォーマットに基づいてＮ３ＩＷＦ  ＦＱＤＮを構築することによって、このＶＰＬＭＮ内のＮ３ＩＷＦを選択し得る。
【００７０】
訪問国でのＮ３ＩＷＦの選択が必須であり（３５１でＹおよび３５２）、ＵＥが３ＧＰＰアクセスを介してＰＬＭＮに登録されていないか、またはＵＥが３ＧＰＰアクセスを介してＶＰＬＭＮに登録されており、ＶＰＬＭＮのＰＬＭＮ  ＩＤがＤＮＳレコードのいずれにも含まれていない（３５４でＮ）場合に、
−  Ｎ３ＡＮノード選択情報がプロビジョニングされている場合（３５８でＹ）、ＵＥは３６０において、Ｎ３ＡＮノード選択情報内で最も高いＰＬＭＮ優先度を有するＤＮＳ応答に含まれるＰＬＭＮからＮ３ＩＷＦを選択し、ＰＬＭＮエントリの構成済みＦＱＤＮフォーマットに基づいてＮ３ＩＷＦ  ＦＱＤＮを構築し得、または、
−  Ｎ３ＡＮノード選択情報がプロビジョニングされていないか（３５８でＮ）、またはＮ３ＡＮノード選択情報がＤＮＳ応答内のＰＬＭＮのいずれも含まない場合、ＰＬＭＮの選択はＵＥの実装に依存する。たとえば、ＵＥは３９９Ｃにおいて、ＤＮＳ応答に含まれるＰＬＭＮからＮ３ＩＷＦを選択し、ＰＬＭＮのＰＬＭＮ  ＩＤを使用して、オペレータ識別子ＦＱＤＮフォーマットに基づいてＮ３ＩＷＦ  ＦＱＤＮを構築し得る。
【００７１】
上記のように、ＵＥはＤＮＳサーバ機能を使用して、構築されたＮ３ＩＷＦ  ＦＱＤＮをＮ３ＩＷＦ（複数可）のＩＰアドレス（複数可）に解決し得る。ＵＥは自身のローカルＩＰアドレスと同じＩＰバージョンを有するＮ３ＩＷＦのＩＰアドレスを選択し得る。
【００７２】
ＤＮＳ応答がレコードを含まない場合（３５１でＮ）、３６２において、訪問国でのＮ３ＩＷＦの選択は必須ではない。Ｎ３ＡＮノード選択情報がプロビジョニングされており、訪問国の１つまたは複数のＰＬＭＮを含む場合（３６４でＹ）、ＵＥは３６０において、Ｎ３ＡＮノード選択情報内で最も高いＰＬＭＮ優先度を有するＰＬＭＮからＮ３ＩＷＦを選択し得る。Ｎ３ＡＮノード選択情報がプロビジョニングされていない場合、またはＮ３ＡＮノード選択情報がプロビジョニングされており、訪問国のＰＬＭＮを含まない場合（３６４でＮ）、ＵＥは図３Ｃに従って次のようにＮ３ＩＷＦを選択し得る。
−  ホームＮ３ＩＷＦ識別子がＮ３ＡＮノード構成情報にプロビジョニングされている場合（３１８でＹおよび３２０）、ＵＥは構成済みＩＰアドレスを使用してＮ３ＩＷＦを選択し、または構成済みＩＰアドレスが利用可能でない場合、３９９Ａにおいて、構成済みＦＱＤＮを使用し、ＤＮＳクエリを実行して、Ｎ３ＩＷＦ（複数可）のＩＰアドレス（複数可）を取得する。
−  ホームＮ３ＩＷＦ識別子がＮ３ＡＮノード構成情報にプロビジョニングされていない場合（３１８でＮ）、ＵＥは３２６において、ＨＰＬＭＮのＰＬＭＮ  ＩＤを使用してオペレータ識別子ＦＱＤＮフォーマットに基づいてＮ３ＩＷＦ  ＦＱＤＮを構築し得る。
【００７３】
ＵＥは３９９Ａにおいて、ＤＮＳサーバ機能を使用して、構築されたＮ３ＩＷＦ  ＦＱＤＮをＮ３ＩＷＦ（複数可）のＩＰアドレス（複数可）に解決し得る。ＵＥは自身のローカルＩＰアドレスと同じＩＰバージョンを有するＮ３ＩＷＦのＩＰアドレスを選択し得る。
【００７４】
いくつかの例示的な実施形態では、３５１においてＤＮＳ応答が受信されない場合、ＵＥはＮ３ＩＷＦ選択手順を終了し得る。
【００７５】
ＵＥがＮ３ＩＷＦのＩＰアドレスを選択し得る場合、ＵＥは３９０において、ＲＦＣ５９９６、インターネット鍵交換プロトコルバージョン２（ＩＫＥｖ２：Ｉｎｔｅｒｎｅｔ  Ｋｅｙ  Ｅｘｃｈａｎｇｅ  Ｐｒｏｔｏｃｏｌ  Ｖｅｒｓｉｏｎ  ２）に準拠し得るインターネット鍵交換セキュリティ・アソシエーション（ＳＡ：Ｓｅｃｕｒｉｔｙ  Ａｓｓｏｃｉａｔｉｏｎ）などのインターネット鍵交換を開始し得る。
【００７６】
ＨＰＬＭＮ内のＮ３ＩＷＦの選択が失敗し、ＨＰＬＭＮ内のＮ３ＩＷＦの選択がホームＮ３ＩＷＦ識別子構成を使用して実行され、ＨＰＬＭＮ内にさらなる事前構成済みのＮ３ＩＷＦが存在する場合、ＵＥはＨＰＬＭＮ内のＮ３ＩＷＦの次のＦＱＤＮまたはＩＰアドレスを使用して、セキュリティ・アソシエーション・トンネル確立の試行を繰り返し得る。
【００７７】
Ｎ３ＩＷＦの１つまたは複数のＩＰアドレスを含むＤＮＳ応答を受信すると、ＵＥは自身のローカルＩＰアドレスと同じＩＰバージョンを有するＮ３ＩＷＦのＩＰアドレスを選択し得る。選択されたＮ３ＩＷＦの受信されたＩＰアドレスのいずれかに送信されたＩＫＥ＿ＳＡ＿ＩＮＩＴリクエスト・メッセージへの応答をＵＥが受信しない場合、ＵＥは、ＵＥがＩＫＥ＿ＳＡ＿ＩＮＩＴリクエスト・メッセージへの応答を受信しなかったＮ３ＩＷＦを除いて、Ｎ３ＩＷＦ選択手順を繰り返し得る。
【００７８】
図４は、３ＧＰＰアクセス２９０および非３ＧＰＰアクセス２９２（この例では信頼されていない）を有するユーザ機器（ＵＥ）２５０を含むネットワーク４００の一部の一例を示す。ＵＥはまた、ＰＣＦ２６０によって提供されるオブジェクト１００を含む。図４は、Ｎ３ＩＷＦ選択後に行われる３９０でのＩＫＥｖ２シグナリング・セキュリティ・アソシエーションおよびユーザ・プレーン・セキュリティ・アソシエーションの確立後のデータ・ネットワーク２６８へのＵＥ２５０の接続を示している。
【００７９】
図５は、ある例示的な実施形態に従う管理オブジェクト５００（オブジェクトとも呼ばれる）を示す。オブジェクト５００はオブジェクト１００と類似しているが、ｅＰＤＧの側面をさらに含む。
【００８０】
非３ＧＰＰアクセス・ノード構成情報は、ホームＮ３ＩＷＦ識別子、ホームｅＰＤＧ識別子、および／またはＮ３ＩＷＦ選択情報を含み得る。非３ＧＰＰアクセス・ノード構成情報がオブジェクト１００などの管理オブジェクト内で利用可能である場合（たとえば、図１および図４を参照）、非３ＧＰＰアクセス・ノード（Ｎ３ＡＮ）ノード構成情報は、オブジェクト５００のＮ３ＡＮノードにプロビジョニングされ得る。しかしながら、Ｎ３ＡＮノード構成情報がＵＳＩＭ内で利用可能な場合、Ｎ３ＡＮノード構成情報はＥＦファイルにプロビジョニングされ得る。
【００８１】
ＮｏｄｅＳｅｌｅｃｔｉｏｎＩｎｆｏｒｍａｔｉｏｎ１２０は、Ｎ３ＡＮ＿ｅＰＤＧ＿ｐｒｅｆｅｒｒｅｄ５４４リーフに関連付けられ得る。Ｎ３ＡＮ＿ｎｏｄｅ＿ｐｒｅｆｅｒｒｅｄリーフは、所与のＰＬＭＮに対してＮ３ＩＷＦまたはｅＰＤＧのいずれが優先されるかを示し得る。リーフ５４４は０または１の値を有し得る。たとえば、値０は、Ｎ３ＩＷＦが優先され、ｅＰＤＧが優先されないことを示し得（３ＧＰＰ  ＴＳ２４．５０２に準拠）、値１は、Ｎ３ＩＷＦが優先されず、ｅＰＤＧが優先されることを示し得る（３ＧＰＰ  ＴＳ２４．５０２に準拠）。リーフ５４４がオブジェクト５００にプロビジョニングされていない場合、デフォルト値０が適用され得る。
【００８２】
Ｎ３ＡＮノード１０２は、Ｈｏｍｅ＿ｅＰＤＧ＿Ｉｄｅｎｔｉｆｉｅｒ５３０に関連付けられ得る。Ｈｏｍｅ＿ｅＰＤＧ＿Ｉｄｅｎｔｉｆｉｅｒノード５３０は、ＵＥのＨＰＬＭＮ内のｅＰＤＧのリストのためのプレースホルダの役割を果たし得る。ノード５３０は、ｏｃｃｕｒｒｅｎｃｅがｏｎｅ、ｆｏｒｍａｔがｎｏｄｅ、ｓｕｐｐｏｒｔ  ａｃｃｅｓｓ  ｔｙｐｅがｇｅｔやｒｅｐｌａｃｅなどでありうる。
【００８３】
Ｈｏｍｅ＿ｅＰＤＧ＿Ｉｄｅｎｔｉｆｉｅｒ５３０は、＜Ｘ＞ノード５３２に関連付けられ得る。このノード５３２は、ＵＥのＨＰＬＭＮ内のｅＰＤＧのＦＱＤＮまたはＩＰアドレス構成のためのプレースホルダとして機能し得る。
【００８４】
＜Ｘ＞ノード５３２は、ＦＱＤＮリーフ５３４に関連付けられ得る。このリーフ５３４は、ＵＥのＨＰＬＭＮ内のｅＰＤＧのＦＱＤＮを示し得る。リーフ５３４は、ＦＱＤＮ（複数可）である値を有し得る。リーフ５３４の値は、３ＧＰＰ  ＴＳ２３．００３で定義されている非緊急ベアラ・サービスのｅＰＤＧ  ＦＱＤＮフォーマットに基づき得る。リーフ５３４がないことは、ホーム・オペレータによってＵＥのＨＰＬＭＮ内のこのｅＰＤＧに対してＦＱＤＮが構成されていないことを示し得る。
【００８５】
＜Ｘ＞ノード５３２は、ＩＰＡｄｄｒノード５３６に関連付けられ得る。このノード５３６は、ＵＥのＨＰＬＭＮ内のｅＰＤＧのＩＰアドレスのリストのためのプレースホルダとして機能し得る。このリーフがないことは、ホーム・オペレータによってＵＥのＨＰＬＭＮ内のこのｅＰＤＧに対してＩＰアドレスが構成されていないことを示す。
【００８６】
ＩＰＡｄｄｒノード５３６は、ノード＜Ｘ＞５３８に関連付けられ得る。ノード５３８は、ＵＥのＨＰＬＭＮ内のｅＰＤＧのＩＰアドレスのためのプレースホルダの役割を果たし得る。
【００８７】
＜Ｘ＞ノード５３８は、ＡｄｄｒｅｓｓＴｙｐｅリーフ５４０に関連付けられ得る。ＡｄｄｒｅｓｓＴｙｐｅリーフ５４０は、ＵＥのＨＰＬＭＮ内のｅＰＤＧのＩＰアドレスのＩＰアドレス・フォーマットのタイプまたはバージョンを示し得る。リーフ５４０は、ＩＰｖ４フォーマットまたはＩＰｖ６フォーマットを示す値を有し得る。
【００８８】
＜Ｘ＞ノード５３８は、Ａｄｄｒｅｓｓリーフ５４２に関連付けられ得る。Ａｄｄｒｅｓｓリーフは、ＵＥのＨＰＬＭＮ内のｅＰＤＧ  ＩＰアドレスのＩＰアドレスを示し得る。リーフ５４２は、ＩＰアドレスを示す値を有し得る。同じルールのＡｄｄｒｅｓｓＴｙｐｅリーフ値がＩＰｖ４と等しい場合、このリーフの値はＩＰｖ４アドレスである。同じルールのＡｄｄｒｅｓｓＴｙｐｅリーフ値がＩＰｖ６と等しい場合、このリーフの値はＩＰｖ６アドレスである。
【００８９】
オブジェクト５００によって表されるＮ３ＡＮノード構成情報は、ＵＥのホーム・ポリシー制御機能（ＰＣＦ）などのネットワーク・ノードによってＵＥに提供され得るか、またはＵＳＩＭプロビジョニングを介してＵＥに提供され得る。ＵＥが５Ｇおよび４Ｇの両方に対応している場合、ＵＥはＰＣＦからＮ３ＡＮ＿ｎｏｄｅ管理オブジェクト５００を受信し、アクセス・ネットワーク発見・選択機能（ＡＮＤＳＦ：Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ）管理オブジェクトを４Ｇ  ＡＮＤＳＦサーバから受信し得る。
【００９０】
図６Ａは、５Ｇ−ＨＰＬＭＮ６９０の一部と、４Ｇ−ＨＰＬＭＮの一部とを示しているが、ＶＰＬＭＮ（複数可）も同様に実装され得る。図６Ａは、結合されたＮ３ＩＷＦ・ｅＰＤＧノード６１０と、結合されたＵＰＦ・パケットゲートウェイ（Ｐ−ＧＷ：ｐａｃｋｅｔ  ｇａｔｅｗａｙ）ノード６２０とを示している。図６Ａは、３ＧＰＰアクセス、ＭＭＥ６０４、およびサービング・ゲートウェイ６０６を示している。
【００９１】
図６Ａは、ＵＥ２５０が、６６６Ａにおいて、ＰＣＦ２６０からＮ３ＡＮ＿ｎｏｄｅ管理オブジェクト５００を受信し得ることを示している。代替的または追加的には、ＵＥ２５０は、６６６Ｂにおいて、４Ｇ  ＡＮＤＳＦサーバ６１８からＡＮＤＳＦ管理オブジェクトなどの管理オブジェクトを受信し得る。
【００９２】
図６Ｂは、ｅＰＤＧ６７７ＡがＮ３ＩＷＦ２６６と同じ場所に配置されておらず、Ｐ−ＧＷ６７７ＢがＵＰＦ２５８と同じ場所に配置されていない、非同一場所配置の例を示している。図６Ｂに示されるように、ＵＥ２５０は６６６Ａにおいて、ＰＣＦ２６０からＮ３ＡＮ＿ｎｏｄｅ管理オブジェクト５００を受信し得る。代替的または追加的には、ＵＥ２５０は、６６６Ｂにおいて、４Ｇ  ＡＮＤＳＦサーバ６１８からＡＮＤＳＦ管理オブジェクトなどの管理オブジェクトを受信し得る。
【００９３】
ＵＥがＮ３ＩＷＦおよびｅＰＤＧの両方への接続をサポートする場合、傍受を意識したアクセス・ノードの選択のための「通常の」ユース・ケースおよび「通常でない」ユース・ケースの取り扱いロジックが提供され得る。
【００９４】
訪問国が訪問国での非３ＧＰＰアクセス・ネットワーク（Ｎ３ＡＮ）ノードの選択を義務付けており、５Ｇ  Ｎ３ＩＷＦが優先される場合、ＵＥは次のように訪問国ＦＱＤＮを使用してＤＮＳ  ＮＡＰＴＲクエリを実行し得る。
ｎ３ｉｗｆ．５ｇｃ．ｍｃｃ＜ＭＣＣ＞．ｖｉｓｉｔｅｄ−ｃｏｕｎｔｒｙ．ｐｕｂ．３ｇｐｐｎｅｔｗｏｒｋ．ｏｒｇ．
【００９５】
このクエリの結果が、「ｎ３ｉｗｆ．５ｇｃ．ｍｎｃ＜ＭＮＣ＞．ｍｃｃ＜ＭＣＣ＞．ｐｕｂ．３ｇｐｐｎｅｔｗｏｒｋ．ｏｒｇ」の形式のサービス・インスタンス名を含む１つまたは複数のレコードのセットである場合（ここで、各レコード内の（＜ＭＣＣ＞，＜ＭＮＣ＞）ペアは訪問国のＰＬＭＮ  Ｉｄを表す）、ＵＥは訪問国が訪問国でのＮ３ＩＷＦの選択を義務付けていると判定し得る。しかしながら、クエリ結果が「ｎ３ｉｗｆ．５ｇｃ．ｍｎｃ＜ＭＮＣ＞．ｍｃｃ＜ＭＣＣ＞．ｐｕｂ．３ｇｐｐｎｅｔｗｏｒｋ．ｏｒｇ」の形式のサービス・インスタンス名を含まない場合、ＵＥは訪問国が訪問国でのＮ３ＩＷＦの選択を義務付けていないと判定し得る。また、ｅＰＤＧがＮ３ＩＷＦよりも優先される場合、ＵＥはｅＰＤＧの訪問国ＦＱＤＮを使用してＤＮＳ  ＮＡＰＴＲクエリを実行し得る。
【００９６】
図７Ａは、ある例示的な実施形態に従うＵＥがＮ３ＩＷＦおよびｅＰＤＧとの接続をサポートする場合の例示的な処理を示す。図７Ａの処理は、Ｎ３ＩＷＦ、ｅＰＤＧ、またはその両方を選択するための選択ロジックを提供し得る。
【００９７】
ＵＥ２５０がＮ３ＩＷＦ２６６およびｅＰＤＧ６７７Ａとの接続をサポートすることができる場合、ＵＥはＮ３ＡＮノード選択情報１２０内のＮ３ＡＮ  ｅＰＤＧ  ｐｒｅｆｅｒｒｅｄパラメータ５４４を使用して、所与のＰＬＭＮにおいてＮ３ＩＷＦまたはｅＰＤＧのいずれの選択が優先されるかを判定し得る。Ｎ３ＡＮ  ｅＰＤＧ  ｐｒｅｆｅｒｒｅｄパラメータ５４４がＨＰＬＭＮまたはＶＰＬＭＮなどの所与のＰＬＭＮに対して構成されていない場合、ＵＥは所与のＰＬＭＮに対してＮ３ＩＷＦ２６６が優先されると見なし得る。
【００９８】
ＵＥ２５０が自国に所在し（７０２および７０４でＹ）、Ｎ３ＡＮノード選択情報１２０がＮ３ＡＮノード構成情報にプロビジョニングされており（７０６でＹおよび７０８でＹ）、ＨＰＬＭＮのエントリがＮ３ＡＮノード選択情報内で利用可能であり（７１０でＹ）、Ｎ３ＩＷＦが優先されることをＨＰＬＭＮエントリのＮ３ＡＮ  ｅＰＤＧ  ｐｒｅｆｅｒｒｅｄパラメータ５９４が示す（７１２でＮ）場合、ＵＥは７１３ＢにおいてＮ３ＩＷＦを選択し、次いで７１８において、ＨＰＬＭＮの構成済みＦＱＤＮフォーマットに基づいてＮ３ＩＷＦ  ＦＱＤＮを構築し得る。
【００９９】
ＵＥが自国に所在し（７０２および７０４でＹ）、Ｎ３ＡＮノード選択情報がＮ３ＡＮノード構成情報にプロビジョニングされており（７０６でＹおよび７０８でＹ）、ＨＰＬＭＮのエントリがＮ３ＡＮノード選択情報内で利用可能であり（７１０でＹ）、ｅＰＤＧが優先されることをＨＰＬＭＮエントリのＮ３ＡＮ  ｅＰＤＧ  ｐｒｅｆｅｒｒｅｄパラメータが示す（７１２でＹ）場合、ＵＥは７１３ＡにおいてｅＰＤＧを選択し、次いで７１６において、ＨＰＬＭＮの構成済みＦＱＤＮフォーマットに基づいてｅＰＤＧ  ＦＱＤＮを構築し得る。
【０１００】
ＵＥが自国に所在し（７０２および７０４でＹ）、Ｎ３ＡＮノード選択情報がＮ３ＡＮノード構成情報にプロビジョニングされていないか（７０８でＮ）、またはＮ３ＡＮノード選択情報１２０がプロビジョニングされており（７０８でＹ）、７１０においてＨＰＬＭＮのエントリがＮ３ＡＮノード選択情報で利用可能でない（７１０でＮ）場合に、
ｉ）ホームＮ３ＩＷＦ識別子がＮ３ＡＮノード構成情報にプロビジョニングされている場合（７９２ＡでＹ）、ＵＥは７９２Ｄにおいて、構成済みＩＰアドレスを使用してＮ３ＩＷＦを選択するか、または構成済みＩＰアドレスが利用可能でない場合（７９２ＣでＮ）、７９２Ｄにおいて、構成済みＦＱＤＮを使用してＮ３ＩＷＦ  ＦＱＤＮを構築し、
ｉｉ）ホームＮ３ＩＷＦ識別子がプロビジョニングされていないが（７９２ＡでＮ）、ホームｅＰＤＧ識別子がＮ３ＡＮノード構成情報にプロビジョニングされている（７９２ＥでＹ）場合、ＵＥは７９２Ｈにおいて、ＨＰＬＭＮのＰＬＭＮ  ＩＤを使用してオペレータ識別子ＦＱＤＮフォーマットに基づいてｅＰＤＧ  ＦＱＤＮを構築し得、
ｉｉｉ）ホームＮ３ＩＷＦ識別子も（７９２ＡでＮ）ホームｅＰＤＧ識別子も（７９２ＥでＮ）Ｎ３ＡＮノード構成情報にプロビジョニングされていない場合、ＵＥは７９２Ｉにおいて、ＨＰＬＭＮのＰＬＭＮ  ＩＤを使用してオペレータ識別子ＦＱＤＮフォーマットに基づいてＮ３ＩＷＦ  ＦＱＤＮを構築し得る。
【０１０１】
ＵＥが自国に所在し（７０２および７０４でＹ）、Ｎ３ＡＮノード構成情報がＵＥ上で構成されていないか、またはＮ３ＡＮノード構成情報が構成されているが空である場合、ＵＥは、ＵＳＩＭに記憶されているＨＰＬＭＮのＰＬＭＮ  ＩＤを使用してオペレータ識別子ＦＱＤＮフォーマットに基づいてＮ３ＩＷＦ  ＦＱＤＮを構築し得る。ＵＳＩＭの場合、ＵＥは、（ＰＣＦから受信するのではなく）ＵＳＩＭにプロビジョニングすることを除いて、本明細書に記載のオブジェクト・ダウンロードの例と同様に、アクセス・ノード選択に関して類似した仕方で動作し得る。ＵＳＩＭの場合、ＵＳＩＭは、Ｎ３ＩＷＦ識別子を含む第１のＥＦ（たとえば、ＥＦＮ３ＩＷＦＩｄ）と、Ｎ３ＩＷＦ選択情報を含む第２のＥＦファイル（たとえば、ＥＦｎｏｄｅＳｅｌｅｃｔｉｏｎ）とがプロビジョニングされ得る。
【０１０２】
ＵＥは７６０Ａ〜Ｅにおいて、ＤＮＳサーバ機能を使用して、構築されたＮ３ＩＷＦ  ＦＱＤＮまたはｅＰＤＧ  ＦＱＤＮをＮ３ＩＷＦ（複数可）またはｅＰＤＧ（複数可）のＩＰアドレス（複数可）に解決し得る。ＵＥは自身のローカルＩＰアドレスと同じＩＰバージョンを有するＮ３ＩＷＦまたはｅＰＤＧのＩＰアドレスを選択し得る。
【０１０３】
ＵＥ２５０が自国に所在せず（７０４でＮ）、Ｎ３ＡＮノード選択情報１２９がＮ３ＡＮノード構成情報にプロビジョニングされている（７２０でＹ）場合、ＵＥは３ＧＰＰアクセスを介したＶＰＬＭＮに登録され（７２４でＹ）、
ｉ）７２６においてＶＰＬＭＮのエントリがＮ３ＡＮノード選択情報（７２２）で利用可能である場合に（たとえば、ＨＰＬＭＮまたはＶＰＬＭＮであり得るＰＬＭＮエントリのリストを示す図５の１２４を参照）、
Ａ）Ｎ３ＩＷＦが優先されることをＶＰＬＭＮエントリの７２８におけるＮ３ＡＮ  ｅＰＤＧ  ｐｒｅｆｅｒｒｅｄパラメータが示している場合（７２８でＮ）、ＵＥは７１３ＥにおいてＮ３ＩＷＦを選択し、７８０Ａにおいて、ＶＰＬＭＮの構成済みＦＱＤＮフォーマットに基づいてＮ３ＩＷＦ  ＦＱＤＮを構築し得、
Ｂ）ｅＰＤＧが優先されることをＨＰＬＭＮエントリのＮ３ＡＮ  ｅＰＤＧ  ｐｒｅｆｅｒｒｅｄパラメータが示している場合（７２８でＹ）、ＵＥは７１３ＤにおいてｅＰＤＧを選択し、次いで７８０Ｂにおいて、ＶＰＬＭＮの構成済みＦＱＤＮフォーマットに基づいてｅＰＤＧ  ＦＱＤＮを構築し得、
ｉｉ）ＶＰＬＭＮのエントリがＮ３ＡＮノード選択情報内で利用可能でなく（７２６でＮ）、「Ａｎｙ＿ＰＬＭＮ」エントリがＮ３ＡＮノード選択情報内で利用可能でない（７３０でＹ）場合に、
Ａ）Ｎ３ＩＷＦが優先されることを「Ａｎｙ＿ＰＬＭＮ」エントリのＮ３ＡＮ  ｅＰＤＧ  ｐｒｅｆｅｒｒｅｄパラメータが示している場合（７３２でＮ）、ＵＥは７１３ＦにおいてＮ３ＩＷＦを選択し、次いで７８０Ｃにおいて、「Ａｎｙ＿ＰＬＭＮ」の構成済みＦＱＤＮフォーマットに基づいてＮ３ＩＷＦ  ＦＱＤＮを構築し得、
Ｂ）ｅＰＤＧが優先されることを「Ａｎｙ＿ＰＬＭＮ」エントリのＮ３ＡＮ  ｅＰＤＧ  ｐｒｅｆｅｒｒｅｄパラメータが示している場合（７３２でＹ）、ＵＥは７１３ＤにおいてｅＰＤＧを選択し、次いで７８０Ｂにおいて、「Ａｎｙ＿ＰＬＭＮ」の構成済みＦＱＤＮフォーマットに基づいてｅＰＤＧ  ＦＱＤＮを構築し得る。
【０１０４】
ＵＥは７６０Ｃ／７６０Ｅにおいて、ＤＮＳサーバ機能を使用して、構築されたＮ３ＩＷＦ  ＦＱＤＮまたはｅＰＤＧ  ＦＱＤＮをＮ３ＩＷＦ（複数可）またはｅＰＤＧ（複数可）のＩＰアドレス（複数可）に解決する。ＵＥは自身のローカルＩＰアドレスと同じＩＰバージョンを有するＮ３ＩＷＦまたはｅＰＤＧのＩＰアドレスを選択し得る。
【０１０５】
ＵＥは、ＵＥが自国に所在せず（７０４でＮ）、以下の１つまたは複数が真である場合、訪問国がこの国でのＮ３ＩＷＦの選択を義務付けているか否かを判定するために、７４０においてＤＮＳクエリを実行し得る。
−  ＵＥは３ＧＰＰアクセスを介してＰＬＭＮに登録されておらず（７２４でＮ）、ＵＥはＷＬＡＮを使用する。
−  Ｎ３ＡＮノード構成情報（７２０でＮ）は構成されていない。
−  Ｎ３ＡＮノード選択情報は、Ｎ３ＡＮノード構成情報にプロビジョニングされていない（７２２でＮ）。または、
−  ＵＥは３ＧＰＰアクセスを介してＶＰＬＭＮに登録されており（７２４でＹ）、ＶＰＬＭＮのエントリはＮ３ＡＮノード選択情報内で利用可能でなく（７２６でＮ）、「Ａｎｙ＿ＰＬＭＮ」エントリはＮ３ＡＮノード選択情報内で利用可能でない（７３０でＮ）。
【０１０６】
７７０のクエリ結果が７７２において、訪問国でのＮ３ＩＷＦの選択が必須であることを示しており、ＵＥが３ＧＰＰアクセスを介してＶＰＬＭＮに登録されており、ＶＰＬＭＮのＰＬＭＮ  ＩＤが返されたＤＮＳレコードの１つに含まれる（７７４でＹ）場合、ＵＥは７８０Ｄにおいて、ＶＰＬＭＮのＰＬＭＮ  ＩＤを使用してオペレータ識別子ＦＱＤＮフォーマットに基づいてＮ３ＩＷＦ  ＦＱＤＮを構築することによって、このＶＰＬＭＮ内のＮ３ＩＷＦを選択し得る。
【０１０７】
７７０のクエリ結果が７７２において、訪問国でのＮ３ＩＷＦの選択が必須であることを示しており、ＵＥが３ＧＰＰアクセスを介してＰＬＭＮに登録されていないか、またはＵＥが３ＧＰＰアクセスを介してＶＰＬＭＮに登録されており、ＶＰＬＭＮのＰＬＭＮ  ＩＤがＤＮＳレコードのいずれにも含まれていない（７７４でＮ）場合、ＵＥは７７８において、Ｎ３ＡＮノード選択情報内で最も高いＰＬＭＮ優先度を有するＤＮＳ応答に含まれるＰＬＭＮからＮ３ＩＷＦを選択し、７７６においてＮ３ＡＮノード選択情報がプロビジョニングされている場合、ＰＬＭＮエントリの構成済みＦＱＤＮフォーマットに基づいて、Ｎ３ＩＷＦ  ＦＱＤＮを構築し得る。
【０１０８】
しかしながら、７７６において、Ｎ３ＡＮノード選択情報がプロビジョニングされていないか、またはＮ３ＡＮノード選択情報がＤＮＳ応答内にＰＬＭＮのいずれも含まない場合、ＰＬＭＮの７７９での選択はＵＥの実装に依存する。したがって、ＵＥは、ＤＮＳ応答に含まれるＰＬＭＮからＮ３ＩＷＦを選択し、ＰＬＭＮのＰＬＭＮ  ＩＤを使用して、オペレータ識別子ＦＱＤＮフォーマットに基づいてＮ３ＩＷＦ  ＦＱＤＮを構築し得る。
【０１０９】
上記のように、ＵＥはＤＮＳサーバ機能を使用して、構築されたＮ３ＩＷＦ  ＦＱＤＮをＮ３ＩＷＦ（複数可）のＩＰアドレス（複数可）に解決し得る。ＵＥは自身のローカルＩＰアドレスと同じＩＰバージョンを有するＮ３ＩＷＦのＩＰアドレスを選択し得る。
【０１１０】
ＤＮＳ応答がレコードを含まず（７７０でＮ）、訪問国でのＮ３ＩＷＦの選択が必須ではなく（７９４）、Ｎ３ＡＮノード選択情報がプロビジョニングされており、訪問国内の１つまたは複数のＰＬＭＮを含む（７９６でＹ）場合、ＵＥは７７８において、Ｎ３ＡＮノード選択情報内で最も高いＰＬＭＮ優先度を有するＰＬＭＮからＮ３ＩＷＦを選択し得る。
【０１１１】
しかしながら、Ｎ３ＡＮノード選択情報がプロビジョニングされていない場合（７９６でＮ）、またはＮ３ＡＮノード選択情報がプロビジョニングされており、訪問国内のＰＬＭＮを含まない場合、ＵＥは図７Ｃに従ってＨＰＬＭＮ内のＮ３ＩＷＦを選択し得る。
【０１１２】
７４９０でのクエリに応答してＤＮＳ応答が受信されない場合、ＵＥはＮ３ＩＷＦ選択手順を終了し得る。
【０１１３】
ＵＥによって選択されたＮ３ＩＷＦまたはｅＰＤＧのＩＰアドレスが決まると、ＵＥは、Ｎ３ＩＷＦが選択されている場合、
ｉ）ＩＫＥｖ２  ＳＡ確立手順を開始し得、
ｉｉ）ＨＰＬＭＮ内のＮ３ＩＷＦの選択が失敗し、ＨＰＬＭＮ内のＮ３ＩＷＦの選択がホームＮ３ＩＷＦ識別子構成を使用して実行され、ＨＰＬＭＮ内にさらなる事前構成済みのＮ３ＩＷＦが存在する場合、ＵＥはＨＰＬＭＮ内のＮ３ＩＷＦの次のＦＱＤＮまたはＩＰアドレス（複数可）を使用してトンネル確立試行を繰り返し得、
ｉｉｉ）選択されたＮ３ＩＷＦの受信されたＩＰアドレスのいずれかに送信されたＩＫＥ＿ＳＡ＿ＩＮＩＴリクエスト・メッセージへの応答をＵＥが受信しない場合、ＵＥは、ＩＫＥ＿ＳＡ＿ＩＮＩＴリクエスト・メッセージへの応答をＵＥが受信しなかったＮ３ＩＷＦを除いて、Ｎ３ＡＮノード選択を繰り返し得る。
【０１１４】
しかしながら、ｅＰＤＧが選択されている場合、ＵＥは、
ｉ）４Ｇトンネル確立を開始し得、
ｉｉ）ＨＰＬＭＮ内のｅＰＤＧの選択が失敗し、ＨＰＬＭＮ内のｅＰＤＧの選択がホームｅＰＤＧ識別子構成を使用して実行され、ＨＰＬＭＮ内にさらなる事前構成済みのｅＰＤＧが存在する場合、ＵＥはＨＰＬＭＮ内のｅＰＤＧの次のＦＱＤＮまたはＩＰアドレス（複数可）を使用してトンネル確立試行を繰り返し得、
ｉｉｉ）選択されたｅＰＤＧの受信されたＩＰアドレスのいずれかに送信されたＩＫＥ＿ＳＡ＿ＩＮＩＴリクエスト・メッセージへの応答をＵＥが受信しない場合、ＵＥは、ＩＫＥ＿ＳＡ＿ＩＮＩＴリクエスト・メッセージへの応答をＵＥが受信しなかったｅＰＤＧを除いて、Ｎ３ＡＮノード選択を繰り返し得る。
【０１１５】
図８Ａは、Ｎ３ＩＷＦ選択に続くＩＫＥｖ２シグナリングＳＡおよびユーザ・プレーンＳＡの確立後の、またはｅＰＤＧ選択に続くＩＫＥｖ２トンネル確立後のデータ・ネットワーク２６８へのＵＥの接続を示す。図８Ａは同じ場所に配置されたＮ３ＩＷＦおよびｅＰＤＧ６１０を示しており、図８Ｂは別々のｅＰＤＧおよびＰ−ＧＷを示している。ＰＬＭＮ−５ＧおよびＰＬＭＮ−４Ｇは、ＵＥのホームＰＬＭＮ（ＨＰＬＭＮ）または訪問先ＰＬＭＮ（ＶＰＬＭＮ）とすることができ、ＰＬＭＮ−５ＧおよびＰＬＭＮ−４Ｇは、同じオペレータまたは異なるオペレータに属し得る。
【０１１６】
図９は、ある例示的な実施形態に従うネットワーク・ノード９００のブロック図を示す。ネットワーク・ノード９００は、本明細書に開示されるように、ＨＰＬＭＮおよび／またはＶＰＬＭＮへのアクセス・ノード選択を取り扱うように構成され得る。ノード９００はまた、管理オブジェクト１００、５００、および／または同様のものなどの情報をＵＥに提供し得る。たとえば、ネットワーク・ノード９００は、ＰＣＦ、ＡＮＤＳＦサーバ、および／または同様のもののうちの１つまたは複数に組み込まれ得る。
【０１１７】
ネットワーク・ノード９００は、ネットワーク・インターフェース９０２と、プロセッサ９２０と、メモリ９０４と、ある例示的な実施形態に従うアクセス・ノード選択を可能にするために管理オブジェクトをＵＥに提供するための管理オブジェクト・ストアまたはジェネレータ９５０とを含み得る。ネットワーク・インターフェース９０２は、他のノード、インターネット、および／または他のノードへのアクセスを可能にするために、ワイヤードおよび／またはワイヤレス・トランシーバを含み得る。メモリ９０４は、少なくとも１つのプロセッサ９２０によって実行された場合に、図３Ａ、図３Ｂ、図３Ｃ、図６Ａ、図６Ｂ、図７Ａ、図７Ｂ、図７Ｃ、および／または同様のものにおける処理を含む、本明細書に開示される処理をとりわけ提供するプログラム・コードを含む揮発性および／または不揮発性メモリを備え得る。たとえば、ノード９００は、ＰＣＦ、Ｎ３ＩＷＦ、ｅＰＤＧ、および／または同様のものを提供するように実装され得る。
【０１１８】
図１０は、ある例示的な実施形態に従う装置１０のブロック図を示す。
【０１１９】
装置１０は、ユーザ機器２５０などのユーザ機器を表し得る。
【０１２０】
装置１０は、送信器１４および受信器１６と通信する少なくとも１つのアンテナ１２を含み得る。代替的には、送信アンテナおよび受信アンテナが分離され得る。装置１０はまた、送信器に信号を提供し、受信器から信号を受信し、装置の機能を制御するように構成されるプロセッサ２０を含み得る。プロセッサ２０は、送信器および受信器への電気リードを介して制御シグナリングを生じさせることによって、送信器および受信器の機能を制御するように構成され得る。同様に、プロセッサ２０は、プロセッサ２０をディスプレイまたはメモリなどの他の要素に接続する電気リードを介して制御シグナリングを生じさせることによって、装置１０の他の要素を制御するように構成され得る。プロセッサ２０は、たとえば、回路、少なくとも１つの処理コア、デジタル信号プロセッサ（複数可）が付属する１つまたは複数のマイクロプロセッサ、デジタル信号プロセッサが付属しない１つまたは複数のプロセッサ（複数可）、１つまたは複数のコプロセッサ、１つまたは複数のマルチコア・プロセッサ、１つまたは複数のコントローラ、処理回路、１つまたは複数のコンピュータ、集積回路（たとえば、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、フィールド・プログラマブル・ゲートアレイ（ＦＰＧＡ：ｆｉｅｌｄ  ｐｒｏｇｒａｍｍａｂｌｅ  ｇａｔｅ  ａｒｒａｙ）、および／または同様のもの）を含む他の様々な処理要素、あるいはそれらの何らかの組み合わせ、を含む様々な手法で具現化され得る。したがって、図１０では単一のプロセッサとして示されているが、いくつかの例示的な実施形態では、プロセッサ２０は、複数のプロセッサまたは処理コアを備え得る。
【０１２１】
装置１０は、１つまたは複数のエア・インターフェース規格、通信プロトコル、変調タイプ、アクセス・タイプ、および／または同様のもので動作することが可能であり得る。プロセッサ２０によって送受信される信号は、適用可能なセルラー・システムのエア・インターフェース規格、および／または任意の数の異なるワイヤラインまたはワイヤレス・ネットワーキング技術、たとえば、限定はされないが、Ｗｉ−Ｆｉ、ワイヤレス・ローカル・アクセス・ネットワーク（ＷＬＡＮ：ｗｉｒｅｌｅｓｓ  ｌｏｃａｌ  ａｃｃｅｓｓ  ｎｅｔｗｏｒｋ）技術、たとえば、電気電子技術者協会（ＩＥＥＥ：Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１、８０２．１６、８０２．３、ＡＤＳＬ、ＤＯＣＳＩＳ、および／または同様のもの、に従うシグナリング情報を含み得る。加えて、これらの信号は、音声（ｓｐｅｅｃｈ）データ、ユーザ生成データ、ユーザ要求データ、および／または同様のものを含み得る。
【０１２２】
たとえば、装置１０および／またはその中のセルラーモデムは、様々な第１世代（１Ｇ）通信プロトコル、第２世代（２Ｇまたは２．５Ｇ）通信プロトコル、第３世代（３Ｇ）通信プロトコル、第４世代（４Ｇ）通信プロトコル、第５世代（５Ｇ）通信プロトコル、インターネット・プロトコル・マルチメディア・サブシステム（ＩＭＳ：Ｉｎｔｅｒｎｅｔ  Ｐｒｏｔｏｃｏｌ  Ｍｕｌｔｉｍｅｄｉａ  Ｓｕｂｓｙｓｔｅｍ）通信プロトコル（たとえば、セッション開始プロトコル（ＳＩＰ：ｓｅｓｓｉｏｎ  ｉｎｉｔｉａｔｉｏｎ  ｐｒｏｔｏｃｏｌ））、および／または同様のものに従って動作することが可能であり得る。たとえば、装置１０は、２Ｇワイヤレス通信プロトコルＩＳ−１３６、時分割多重アクセスＴＤＭＡ（Ｔｉｍｅ  Ｄｉｖｉｓｉｏｎ  Ｍｕｌｔｉｐｌｅ  Ａｃｃｅｓｓ）、ＧＳＭ（登録商標）、ＩＳ−９５、符号分割多重アクセスＣＤＭＡ（Ｃｏｄｅ  Ｄｉｖｉｓｉｏｎ  Ｍｕｌｔｉｐｌｅ  Ａｃｃｅｓｓ）、および／または同様のものに従って動作することが可能であり得る。加えて、たとえば、装置１０は、２．５Ｇワイヤレス通信プロトコルの汎用パケット無線サービス（ＧＰＲＳ：Ｇｅｎｅｒａｌ  Ｐａｃｋｅｔ  Ｒａｄｉｏ  Ｓｅｒｖｉｃｅ）、拡張データＧＳＭ環境（ＥＤＧＥ：Ｅｎｈａｎｃｅｄ  Ｄａｔａ  ＧＳＭ  Ｅｎｖｉｒｏｎｍｅｎｔ）、および／または同様のものに従って動作することが可能であり得る。さらに、たとえば、装置１０は、３Ｇワイヤレス通信プロトコル、たとえば、ユニバーサル・モバイル・テレコミュニケーション・システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、符号分割多重アクセス２０００（ＣＤＭＡ２０００：Ｃｏｄｅ  Ｄｉｖｉｓｉｏｎ  Ｍｕｌｔｉｐｌｅ  Ａｃｃｅｓｓ  ２０００）、ＷＣＤＭＡ（登録商標）、時間分割同期符号分割多重アクセス（ＴＤ−ＳＣＤＭＡ：Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ）、および／または同様のものに従って動作することが可能であり得る。装置１０は、追加的には、３．９Ｇワイヤレス通信プロトコル、たとえば、ロング・ターム・エボリューション（ＬＴＥ：Ｌｏｎｇ  Ｔｅｒｍ  Ｅｖｏｌｕｔｉｏｎ）、進化型ユニバーサル地上無線アクセス・ネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）、および／または同様のものに従って動作することが可能であり得る。追加的には、たとえば、装置１０は、４Ｇワイヤレス通信プロトコル、たとえば、ＬＴＥ  Ａｄｖａｎｃｅｄ、５Ｇ、および／または同様のもの、ならびに今後開発され得る同様のワイヤレス通信プロトコルに従って動作することが可能であり得る。
【０１２３】
プロセッサ２０が、装置１０のオーディオ／ビデオおよびロジック機能を実装するための回路を含み得ることは理解されよう。たとえば、プロセッサ２０は、デジタル信号プロセッサ・デバイス、マイクロプロセッサ・デバイス、アナログ−デジタル変換器、デジタル−アナログ変換器、および／または同様のものを備え得る。装置１０の制御および信号処理機能は、これらのデバイス間に、それぞれの能力に従って割り当てられ得る。プロセッサ２０は、追加的には、内部音声コーダ（ＶＣ：ｖｏｉｃｅ  ｃｏｄｅｒ）２０ａ、内部データ・モデム（ＤＭ：ｄａｔａ  ｍｏｄｅｍ）２０ｂ、および／または同様のものを備え得る。さらに、プロセッサ２０は、メモリに記憶され得る１つまたは複数のソフトウェア・プログラムを動作させるための機能を含み得る。一般に、プロセッサ２０および記憶されたソフトウェア命令は、装置１０にアクションを実行させるように構成され得る。たとえば、プロセッサ２０は、ウェブ・ブラウザなどの接続プログラムを動作させることが可能であり得る。接続プログラムは、装置１０が、ワイヤレス・アプリケーション・プロトコルＷＡＰ（ｗｉｒｅｌｅｓｓ  ａｐｐｌｉｃａｔｉｏｎ  ｐｒｏｔｏｃｏｌ）、ハイパーテキスト転送プロトコルＨＴＴＰ（ｈｙｐｅｒｔｅｘｔ  ｔｒａｎｓｆｅｒ  ｐｒｏｔｏｃｏｌ）、および／または同様のものなどのプロトコルに従って、ロケーションベースのコンテンツなどのウェブ・コンテンツを送受信することを可能にし得る。
【０１２４】
装置１０はまた、プロセッサ２０に動作可能に結合され得る、イヤホンもしくはスピーカ２４、リンガ２２、マイクロフォン２６、ディスプレイ２８、ユーザ入力インターフェース、および／または同様のものなどを含むユーザ・インターフェースを備え得る。ディスプレイ２８は、上記のように、タッチ・センシティブ・ディスプレイを含み得、ユーザはタッチおよび／またはジェスチャを行なって、選択を行い、値を入力し、および／または同様のことを行い得る。プロセッサ２０はまた、スピーカ２４、リンガ２２、マイクロフォン２６、ディスプレイ２８、および／または同様のものなどの、ユーザ・インターフェースの１つまたは複数の要素の少なくとも一部の機能を制御するように構成されるユーザ・インターフェース回路を含み得る。プロセッサ２０および／またはプロセッサ２０を備えるユーザ・インターフェース回路は、揮発性メモリ４０、不揮発性メモリ４２、および／または同様のものなどの、プロセッサ２０がアクセス可能なメモリに記憶されたソフトウェアおよび／またはファームウェアなどのコンピュータ・プログラム命令を介して、ユーザ・インターフェースの１つまたは複数の要素の１つまたは複数の機能を制御するように構成され得る。装置１０は、モバイル端末に関連する様々な回路、たとえば、検出可能な出力として機械的振動を提供する回路に電力を供給するための電池を含み得る。ユーザ入力インターフェースは、キーパッド３０（これはディスプレイ２８に提示される仮想キーボードまたは外部に結合されるキーボードとすることができる）および／または他の入力デバイスなどの、装置２０がデータを受け取ることを可能にするデバイスを備え得る。
【０１２５】
図１０に示されるように、装置１０はまた、データを共有および／または取得するための１つまたは複数のメカニズムを含み得る。たとえば、装置１０は、短距離無線周波数（ＲＦ：ｒａｄｉｏ  ｆｒｅｑｕｅｎｃｙ）トランシーバおよび／または質問器６４を含み得、それによって、ＲＦ技術に従ってデータが電子デバイスと共有され、および／またはそれらから取得され得る。装置１０は、他の短距離トランシーバ、たとえば、赤外線（ＩＲ：ｉｎｆｒａｒｅｄ）トランシーバ６６、Ｂｌｕｅｔｏｏｔｈ（登録商標）ワイヤレス技術を使用して動作するＢｌｕｅｔｏｏｔｈトランシーバ６８、ワイヤレス・ユニバーサル・シリアル・バス（ＵＳＢ：ｕｎｉｖｅｒｓａｌ  ｓｅｒｉａｌ  ｂｕｓ）トランシーバ７０、Ｂｌｕｅｔｏｏｔｈ Ｌｏｗ  Ｅｎｅｒｇｙトランシーバ、ＺｉｇＢｅｅトランシーバ、ＡＮＴトランシーバ、セルラー・デバイス間トランシーバ、ワイヤレス・ローカル・エリア・リンク・トランシーバ、および／または他の任意の短距離無線技術を含み得る。装置１０、特に短距離トランシーバは、装置の近くにある、たとえば１０メートル以内にある電子デバイスにデータを送信し、および／またはそれらからデータを受信することが可能であり得る。Ｗｉ−Ｆｉまたはワイヤレス・ローカル・エリア・ネットワーキング・モデムを含む装置１０はまた、様々なワイヤレス・ネットワーキング技術、たとえば、６ＬｏＷｐａｎ、Ｗｉ−Ｆｉ、Ｗｉ−Ｆｉ低電力、ＷＬＡＮ技術、たとえば、ＩＥＥＥ８０２．１１技術、ＩＥＥＥ８０２．１５技術、ＩＥＥＥ８０２．１６技術、および／または同様のものに従って、電子デバイスとの間でデータを送信および／または受信することが可能であり得る。
【０１２６】
装置１０は、サブスクライバ識別モジュール（ＳＩＭ：ｓｕｂｓｃｒｉｂｅｒ  ｉｄｅｎｔｉｔｙ  ｍｏｄｕｌｅ）３８、リムーバブル・ユーザ識別モジュール（Ｒ−ＵＩＭ：ｒｅｍｏｖａｂｌｅ  ｕｓｅｒ  ｉｄｅｎｔｉｔｙ  ｍｏｄｕｌｅ）、ｅＵＩＣＣ、ＵＩＣＣ、および／または同様のものなどのメモリを備え得、これらはモバイル・サブスクライバに関連する情報要素を記憶し得る。ＳＩＭに加えて、装置１０は、他の取り外し可能および／または固定のメモリを含み得る。装置１０は、揮発性メモリ４０および／または不揮発性メモリ４２を含み得る。たとえば、揮発性メモリ４０は、ランダム・アクセス・メモリ（ＲＡＭ：Ｒａｎｄｏｍ  Ａｃｃｅｓｓ  Ｍｅｍｏｒｙ）、たとえば、動的および／または静的ＲＡＭ、オンチップまたはオフチップ・キャッシュ・メモリ、ならびに／あるいは同様のものを含み得る。内蔵型および／または取り外し可能であり得る不揮発性メモリ４２は、たとえば、読み取り専用メモリ、フラッシュ・メモリ、磁気記憶デバイス、たとえば、ハード・ディスク、フロッピー・ディスク・ドライブ、磁気テープ、光学ディスク・ドライブおよび／またはメディア、不揮発性ランダム・アクセス・メモリ（ＮＶＲＡＭ：ｎｏｎ−ｖｏｌａｔｉｌｅ  ｒａｎｄｏｍ  ａｃｃｅｓｓ  ｍｅｍｏｒｙ）、ならびに／あるいは同様のものを含み得る。揮発性メモリ４０と同様に、不揮発性メモリ４２は、データの一時的な記憶のためのキャッシュ・エリアを含み得る。揮発性および／または不揮発性メモリの少なくとも一部は、プロセッサ２０に埋め込まれ得る。メモリは、１つまたは複数のソフトウェア・プログラム、命令、複数の情報、データ、および／または同様のものを記憶し得、これらは、非３ＧＰＰアクセスのためのアクセス・ノードの選択を可能にする情報を取得することと、アクセス・ノードが所在する国が通信の合法的傍受を必要とするか否かを判定するためにサーバにクエリを実行することと、取得された情報および／またはクエリへの応答に少なくとも基づいて、非３ＧＰＰアクセスのためのアクセス・ノードを選択することと、を含む、本明細書に開示される動作を実行するために装置によって使用され得る。
【０１２７】
メモリは、装置１０を一意に識別することが可能な、国際移動体装置識別（ＩＭＥＩ：ｉｎｔｅｒｎａｔｉｏｎａｌ  ｍｏｂｉｌｅ  ｅｑｕｉｐｍｅｎｔ  ｉｄｅｎｔｉｆｉｃａｔｉｏｎ）コードなどの識別子を有し得る。メモリは、装置１０を一意に識別することが可能な、国際移動体装置識別（ＩＭＥＩ：ｉｎｔｅｒｎａｔｉｏｎａｌ  ｍｏｂｉｌｅ  ｅｑｕｉｐｍｅｎｔ  ｉｄｅｎｔｉｆｉｃａｔｉｏｎ）コードなどの識別子を有し得る。例示的な実施形態では、プロセッサ２０は、非３ＧＰＰアクセスのためのアクセス・ノードの選択を可能にする情報を取得することと、アクセス・ノードが所在する国が通信の合法的傍受を必要とするか否かを判定するためにサーバにクエリを実行することと、取得された情報および／またはクエリへの応答に少なくとも基づいて、非３ＧＰＰアクセスのためのアクセス・ノードを選択することと、を行うための、メモリ４０および／または４２に記憶されたコンピュータ・コードを使用して構成され得る。
【０１２８】
本明細書に開示される実施形態の一部は、ソフトウェア、ハードウェア、アプリケーション・ロジック、またはソフトウェア、ハードウェア、およびアプリケーション・ロジックの組み合わせで実装され得る。ソフトウェア、アプリケーション・ロジック、および／またはハードウェアは、たとえば、メモリ４０、制御装置２０、または電子部品上に存在し得る。いくつかの例示的な実施形態では、アプリケーション・ロジック、ソフトウェア、または命令セットは、様々な従来のコンピュータ可読媒体のいずれか１つに維持される。本文書の文脈において、「コンピュータ可読媒体」は、コンピュータまたはデータ・プロセッサ回路などの命令実行システム、装置、またはデバイスによって、またはそれらに関連して使用される命令を含む、記憶する、通信する、伝播する、または輸送することができる任意の非一時的媒体であり得、図６に示される例では、コンピュータ可読媒体は、コンピュータなどの命令実行システム、装置、またはデバイスによって、またはそれらに関連して使用される命令を含むかまたは記憶することができる任意の媒体であり得る非一時的コンピュータ可読記憶媒体を備え得る。
【０１２９】
以下に示す特許請求の範囲、その解釈、または応用をいかなる手法でも制限することなく、本明細書に開示される例示的な実施形態のうちの１つまたは複数の技術的効果は、アクセス・ノードの選択の改善であり得る。
【０１３０】
本明細書に記載の主題は、所望の構成に応じて、システム、装置、方法、および／または物品に具現化され得る。たとえば、基地局およびユーザ機器（またはそれらの中の１つまたは複数のコンポーネント）ならびに／あるいは本明細書に記載の処理は、プログラム・コードを実行するプロセッサ、特定用途向け集積回路（ＡＳＩＣ）、デジタル信号プロセッサ（ＤＳＰ）、組み込みプロセッサ、フィールド・プログラマブル・ゲートアレイ（ＦＰＧＡ）、および／またはそれらの組み合わせのうちの１つまたは複数を使用して実装することができる。これらの様々な実装は、ストレージ・システム、少なくとも１つの入力デバイス、および少なくとも１つの出力デバイスからデータおよび命令を受信し、それらにデータおよび命令を送信するために結合された、専用または汎用であり得る少なくとも１つのプログラム可能なプロセッサを含むプログラム可能なシステム上で実行可能および／または解釈可能な１つまたは複数のコンピュータ・プログラムでの実装を含み得る。これらのコンピュータ・プログラム（別名、プログラム、ソフトウェア、ソフトウェア・アプリケーション、アプリケーション、コンポーネント、プログラム・コード、またはコード）は、プログラム可能なプロセッサ用の機械命令を含み、高水準の手続き型および／またはオブジェクト指向プログラミング言語で、ならびに／あるいはアセンブリ／機械言語で実装され得る。本明細書で使用される場合、「コンピュータ可読媒体」という用語は、機械命令を受け取る機械可読媒体を含む、プログラム可能なプロセッサに機械命令および／またはデータを提供するために使用される任意のコンピュータ・プログラム製品、機械可読媒体、コンピュータ可読記憶媒体、装置および／またはデバイス（たとえば、磁気ディスク、光ディスク、メモリ、プログラマブル・ロジック・デバイス（ＰＬＤ：Ｐｒｏｇｒａｍｍａｂｌｅ  Ｌｏｇｉｃ  Ｄｅｖｉｃｅ））を指す。同様に、プロセッサと、プロセッサに結合されたメモリとを含み得るシステムも本明細書に記載されている。メモリは、本明細書に記載の１つまたは複数の動作をプロセッサに実行させる１つまたは複数のプログラムを含み得る。
【０１３１】
少数の変形例が上記で詳細に説明されているが、他の変更または追加が可能である。特に、さらなる特徴および／または変形例が、本明細書に記載されたものに加えて提供され得る。また、上述の実装は、開示された特徴の様々な組み合わせおよび部分的な組み合わせ、ならびに／あるいは上記に開示されたいくつかのさらなる特徴の組み合わせおよび部分的な組み合わせを対象とし得る。他の実施形態は、以下の特許請求の範囲内にあり得る。
【０１３２】
所望であれば、本明細書で論じられた様々な機能は、互いに異なる順序でおよび／または同時に実行され得る。さらに、所望であれば、上記の機能の１つまたは複数は、任意選択であり得、または組み合わせられ得る。実施形態の一部の様々な側面は、独立請求項に記載されているが、実施形態の一部の他の側面は、説明された実施形態および／または従属請求項からの特徴と、独立請求項の特徴との他の組み合わせを有し、ただ単に特許請求の範囲に明示的に記載されている組み合わせを有するだけではない。上記は例示的な実施形態を説明しているが、これらの説明は限定的な意味で解釈されるべきではないことにも本明細書では留意されたい。むしろ、添付の特許請求の範囲で定義される実施形態の一部の範囲から逸脱することなく行われ得るいくつかの変形例および変更例が存在する。他の実施形態は、以下の特許請求の範囲内にあり得る。「〜に基づいて」という用語は、「少なくとも〜に基づいて」を含む。「〜など」という語句の使用は、特記のない限り、「たとえば〜など」を意味する。
【図１】
2021517777.tif 000003
【図２Ａ】
2021517777.tif 000004
【図２Ｂ】
2021517777.tif 000005
【図３Ａ】
2021517777.tif 000006
【図３Ｂ】
2021517777.tif 000007
【図３Ｃ】
2021517777.tif 000008
【図４】
2021517777.tif 000009
【図５】
2021517777.tif 000010
【図６Ａ】
2021517777.tif 000011
【図６Ｂ】
2021517777.tif 000012
【図７Ａ】
2021517777.tif 000013
【図７Ｂ】
2021517777.tif 000014
【図７Ｃ】
2021517777.tif 000015
【図８Ａ】
2021517777.tif 000016
【図８Ｂ】
2021517777.tif 000017
【図９】
2021517777.tif 000018
【図１０】
2021517777.tif 000019
【国際調査報告】
2021517777.tif 000020
2021517777.tif 000021
2021517777.tif 000022